(57)【特許請求の範囲】
【請求項１】
信号送信方法であって、
プリアンブルシーケンスを生成するステップであって、前記プリアンブルシーケンスは、高効率ショートトレーニングフィールドシーケンスを含み、前記高効率ショートトレーニングフィールドシーケンスは、少なくとも１サイクルを含み、前記サイクルの長さは1600nsである、ステップと、
前記プリアンブルシーケンスを送信するステップと、
を含む、信号送信方法。
【請求項２】
前記高効率ショートトレーニングフィールドシーケンスは、5サイクルを含む、請求項1に記載の信号送信方法。
【請求項３】
現行帯域幅に対応するプリアンブルシーケンスを生成するステップであって、前記プリアンブルシーケンスは、高効率ショートトレーニングフィールドシーケンスを含み、前記高効率ショートトレーニングフィールドシーケンスは、基準帯域幅に対応するプリアンブルシーケンスにおける高効率ショートトレーニングフィールドシーケンスのセグメントに対応し、プリアンブルシーケンスにおける前記高効率ショートトレーニングフィールドシーケンスは、少なくとも１つのサイクルを具備し、前記サイクルの長さは1600nsである、ステップと、
現行帯域幅に対応する前記プリアンブルシーケンスを送信するステップと、
を含む、請求項1に記載の信号送信方法。
【請求項４】
前記現行帯域幅は、40 MHzであり、40 MHzに対応するプリアンブルシーケンスにおける前記高効率ショートトレーニングフィールドシーケンスは、[1*L-STF, j*L-STF]であり、前記L-STFは、[0,0,0,0,0,0,0,01+1i,0,0,0,-1-1i,0,0,0,1+1i0,0,0,-1-1i,0,0,0,-1-1i,0,0,0,1+1i,0,0,0,…0,0,0,-1-1i,0,0,0,-1-1i,0,0,0, +1i,0,0,0,1+1i,0,0,0,1+1i,0,0,0,1+1i,0,0,0,0,0,0,0]である、請求項3に記載の信号送信方法。
【請求項５】
基準帯域幅に対応するプリアンブルシーケンスにおける高効率ショートトレーニングフィールドシーケンスの前記セグメントのサンプリングレートは、前記現行帯域幅に対応するサンプリングレートである、請求項3に記載の信号送信方法。
【請求項６】
信号受信方法であって、
プリアンブルシーケンスを受信するステップであって、前記プリアンブルシーケンスは、高効率ショートトレーニングフィールドシーケンスを含み、前記高効率ショートトレーニングフィールドシーケンスは、少なくとも１サイクルを含み、前記サイクルの長さは1600nsである、ステップと、
前記高効率ショートトレーニングフィールドシーケンスに基づいて信号を処理するステップと、
を含む、信号受信方法。
【請求項７】
前記高効率ショートトレーニングフィールドシーケンスは、5サイクルを含む、請求項6に記載の信号受信方法。
【請求項８】
現行帯域幅に対応するプリアンブルシーケンスを受信するステップであって、前記プリアンブルシーケンスは、高効率ショートトレーニングフィールドシーケンスを含み、前記高効率ショートトレーニングフィールドシーケンスは、基準帯域幅に対応するプリアンブルシーケンスにおける高効率ショートトレーニングフィールドシーケンスのセグメントに対応し、プリアンブルシーケンスにおける前記高効率ショートトレーニングフィールドシーケンスは、少なくとも１つのサイクルを具備し、前記サイクルの長さは1600nsである、ステップと、
現行帯域幅に対応するプリアンブルシーケンスにおける前記高効率ショートトレーニングフィールドシーケンスに基づいて信号を処理するステップと、
を含む、請求項6に記載の信号受信方法。
【請求項９】
前記現行帯域幅は、40 MHzであり、40 MHzに対応するプリアンブルシーケンスにおける前記高効率ショートトレーニングフィールドシーケンスは、[1*L-STF, j*L-STF]であり、前記L-STFは、[0,0,0,0,0,0,0,01+1i,0,0,0,-1-1i,0,0,0,1+1i0,0,0,-1-1i,0,0,0,-1-1i,0,0,0,1+1i,0,0,0,…0,0,0,-1-1i,0,0,0,-1-1i,0,0,0, +1i,0,0,0,1+1i,0,0,0,1+1i,0,0,0,1+1i,0,0,0,0,0,0,0]である、請求項8に記載の信号受信方法。
【請求項１０】
基準帯域幅に対応するプリアンブルシーケンスにおける高効率ショートトレーニングフィールドシーケンスの前記セグメントのサンプリングレートは、前記現行帯域幅に対応するサンプリングレートである、請求項8に記載の信号受信方法。
【請求項１１】
信号送信デバイスであって、
プリアンブルシーケンスを生成するように構成されたプロセッサであって、前記プリアンブルシーケンスは、高効率ショートトレーニングフィールドシーケンスを含み、前記高効率ショートトレーニングフィールドシーケンスは、少なくとも１サイクルを含み、前記サイクルの長さは1600nsである、プロセッサと、
前記プリアンブルシーケンスを送信するように構成された送信機と、
を含む、信号送信デバイス。
【請求項１２】
前記高効率ショートトレーニングフィールドシーケンスは、5サイクルを含む、請求項11に記載の信号送信デバイス。
【請求項１３】
プロセッサは、現行帯域幅に対応するプリアンブルシーケンスを生成するように構成され、前記プリアンブルシーケンスは、高効率ショートトレーニングフィールドシーケンスを含み、前記高効率ショートトレーニングフィールドシーケンスは、基準帯域幅に対応するプリアンブルシーケンスにおける高効率ショートトレーニングフィールドシーケンスのセグメントに対応し、プリアンブルシーケンスにおける前記高効率ショートトレーニングフィールドシーケンスは、少なくとも１つのサイクルを具備し、前記サイクルの長さは1600nsであり、
送信機は、現行帯域幅に対応する前記プリアンブルシーケンスを送信するように構成されている、
請求項11に記載の信号送信デバイス。
【請求項１４】
前記現行帯域幅は、40 MHzであり、40 MHzに対応するプリアンブルシーケンスにおける前記高効率ショートトレーニングフィールドシーケンスは、[1*L-STF, j*L-STF]であり、前記L-STFは、[0,0,0,0,0,0,0,01+1i,0,0,0,-1-1i,0,0,0,1+1i0,0,0,-1-1i,0,0,0,-1-1i,0,0,0,1+1i,0,0,0,…0,0,0,-1-1i,0,0,0,-1-1i,0,0,0, +1i,0,0,0,1+1i,0,0,0,1+1i,0,0,0,1+1i,0,0,0,0,0,0,0]である、請求項13に記載の信号送信デバイス。
【請求項１５】
基準帯域幅に対応するプリアンブルシーケンスにおける高効率ショートトレーニングフィールドシーケンスの前記セグメントのサンプリングレートは、前記現行帯域幅に対応するサンプリングレートである、請求項13に記載の信号送信デバイス。
【請求項１６】
信号受信デバイスであって、
プリアンブルシーケンスを受信するように構成された受信機であって、前記プリアンブルシーケンスは、高効率ショートトレーニングフィールドシーケンスを含み、前記高効率ショートトレーニングフィールドシーケンスは、少なくとも１サイクルを含み、前記サイクルの長さは1600nsである、受信機と、
前記高効率ショートトレーニングフィールドシーケンスに基づいて信号を処理するように構成されたプロセッサと、
を含む、信号受信デバイス。
【請求項１７】
前記高効率ショートトレーニングフィールドシーケンスは、5サイクルを含む、請求項16に記載の信号受信デバイス。
【請求項１８】
受信機は、現行帯域幅に対応するプリアンブルシーケンスを受信するように構成されており、前記プリアンブルシーケンスは、高効率ショートトレーニングフィールドシーケンスを含み、前記高効率ショートトレーニングフィールドシーケンスは、基準帯域幅に対応するプリアンブルシーケンスにおける高効率ショートトレーニングフィールドシーケンスのセグメントに対応し、プリアンブルシーケンスにおける前記高効率ショートトレーニングフィールドシーケンスは、少なくとも１つのサイクルを具備し、前記サイクルの長さは1600nsであり、
プロセッサは、現行帯域幅に対応するプリアンブルシーケンスにおける前記高効率ショートトレーニングフィールドシーケンスに基づいて信号を処理するように構成されている、請求項16に記載の信号受信デバイス。
【請求項１９】
前記現行帯域幅は、40 MHzであり、40 MHzに対応するプリアンブルシーケンスにおける前記高効率ショートトレーニングフィールドシーケンスは、[1*L-STF, j*L-STF]であり、前記L-STFは、[0,0,0,0,0,0,0,01+1i,0,0,0,-1-1i,0,0,0,1+1i0,0,0,-1-1i,0,0,0,-1-1i,0,0,0,1+1i,0,0,0,…0,0,0,-1-1i,0,0,0,-1-1i,0,0,0, +1i,0,0,0,1+1i,0,0,0,1+1i,0,0,0,1+1i,0,0,0,0,0,0,0]である、請求項18に記載の信号受信デバイス。
【請求項２０】
基準帯域幅に対応するプリアンブルシーケンスにおける高効率ショートトレーニングフィールドシーケンスの前記セグメントのサンプリングレートは、前記現行帯域幅に対応するサンプリングレートである、請求項18に記載の信号受信デバイス。
【発明の詳細な説明】
【技術分野】
【０００１】
本開示は通信分野に関し、具体的には信号送信方法および装置、ならびに信号受信方法および装置に関する。
【背景技術】
【０００２】
現代の無線通信で解決すべき重大問題はシステムのスペクトル利用率と伝送信頼性をいかにして向上させるかである。多入力多出力（Multiple−Input Multiple−Output、MIMO）は現在の無線通信で主流の技術であり、802．11、802．16、802．15といった数多くの規格に採用されている。MIMO技術では受信側と送信側の両方に複数のアンテナを使ってマルチアンテナシステムを形成し、通信容量を効果的に増大させて通信品質を高めることができ、大容量高品質通信の要求を満たし、スペクトル利用率を効果的に高め、切迫したスペクトルリソースニーズを軽減できる。
【０００３】
MIMO技術は既に既存の無線ローカルエリアネットワーク（Wireless Local Area Network、WLAN）規格で幅広く採用されている。IEEE 802．11n規格は最大4×4 MIMO伝送（送信アンテナの数量と受信アンテナの数量がいずれも4）をサポートし、IEEE 802．11ac規格は最大8×8 MIMO伝送（送信アンテナの数量と受信アンテナの数量がいずれも8）をサポートする。加えて、WLANではデータ伝送フレームが2つの部分に、すなわちプリアンブル（Preamble）部分とデータ部分とに、分割される。信号を受信する際にWLANシステムの受信機はまず初めに受信信号の電力利得を調整する必要があり、これにより信号は適当な電力でアナログ・デジタル変換器（Analog−to−Digital Converter、ADC）に入ってデジタル信号に変換され、受信信号にはデジタル処理がさらに遂行される。既存のWLAN規格で受信信号の電力を調整するには、プリアンブルシーケンスにあるレガシーショートトレーニングフィールド（Legacy−Short Training Field、L−STF）シーケンスと高スループットショートトレーニングフィールド（High−Throughput−Short Training Field、HT−STF）シーケンスまたは超高スループットショートトレーニングフィールド（Very−High−Throughput−Short Training Field、VHT−STF）シーケンス（先行技術ではHT−STFとVHT−STFが高効率ショートトレーニングフィールドと総称される）とをそれぞれ使用し、受信信号に対し2段階からなる自動利得制御（Automatic Gain Control、AGC）調整が遂行される。詳細については図1を参照されたい。
【０００４】
図1は既存WLAN規格におけるデータフレーム構造と受信機によるAGC調整の概略図である。この図に見られるように、受信機はプリアンブルシーケンスにあるL−STFシーケンスを使って第1段（予備）AGC調整を遂行し、この予備AGC調整で受信信号をADCのダイナミックレンジに大まかに調整できる。加えて、受信機はプリアンブルシーケンスにあるVHT−STFシーケンスを使って第2段（精密）AGC調整を遂行し（図1は802．11ac規格の場合を示すものであり、802．11nではHT−STFシーケンスを使って第2段（精密）AGC調整が遂行される）、この精密AGC調整で受信信号をADCのダイナミックレンジに精密に調整できる。
【０００５】
前述した様態で受信信号にAGC調整が遂行される場合は、受信信号のSTFシーケンス部分の電力を信号のデータ部分の電力にできるだけ一致させる必要がある。受信信号でSTFシーケンスの電力がデータ部分の電力を上回ると、受信信号の全電力利得が過度に高く設定され、その結果、信号のデータ部分の飽和やピーククリッピングが生じる。受信信号でSTFシーケンスの電力がデータ部分の電力を下回ると、受信信号の全電力利得が過度に小さく設定され、その結果、ADCで信号のデータ部分のサンプリング精度が不十分になる。上述した2つのケースが生じてシステムの全体的受信性能に影響するのを防ぐには、STFシーケンスの電力をデータ部分の電力に一致させる必要がある。
【０００６】
システムの送信側に複数の送信アンテナがある場合、それらの送信アンテナはプリアンブルシーケンスで同じSTFシーケンスを送信し、データ部分については相互に独立したデータストリームが送信され得る。この場合はSTFシーケンスで振幅の重ね合わせが生じ、STFシーケンスの電力がデータ部分の電力から甚だしくずれる。このようなビーム形成効果を回避するため、WLANシステムに循環シフト遅延（Cyclic Shift Delay、CSD）が導入される。CSD値を大きくすることで受信機のAGC調整性能を上げることができる。加えて、送信アンテナの数量が多い場合にシステムで良好なAGC性能を得るにはCSD値を大きくする必要がある。
【０００７】
今のところ、200nsより大きいCSD値をL−STFシーケンスに適用するとシーケンスの相互相関に悪影響がおよび、その結果、L−SIGシーケンスの正常受信に悪影響がおよぶ。このため、既存のWLAN規格でL−STF／Ｌ−LTF／L−SIG部分についてはプリアンブルシーケンスの最大CSD値が200ns以下に制限されている。
【０００８】
先行技術において、IEEE 802．11n規格に採用されているソリューションではプリアンブルシーケンスのレガシー部分L−LTFシーケンスに最大200nsのCSDシーケンスが使われており、IEEE 802．11n規格は最大4つの送信アンテナをサポートする。様々な数の送信アンテナに使われるCSDシーケンスを図2に示す。
【０００９】
加えて、IEEE 802．11n規格に採用されているソリューションではL−STFシーケンスがHT−STFに再使用される。あるいは、持続時間が4μsのOFDMシンボルがHT−STF部分に使われる。HT−STF部分に使われるCSDシーケンスを図3に示す。
【００１０】
より良好なAGC性能を得るため、IEEE 802．11n規格でHT−STFシーケンスに使われる最大CSD値が600nsまで増やされていることが図3から分かるであろう。
【００１１】
先行技術でHT−STFのCSD値は相応に増やされている。ただしこのソリューションの限界として、システムではL−STFシーケンスがHT−STFシーケンスに再使用され、HT−STFシーケンスの4μsには5サイクルあり、各サイクルの持続時間は800nsである。この時間シーケンスでサイクルは互いに重なるため、800nsのCSDをシーケンスに適用することは0nsのCSDをシーケンスに適用することに相当する。このため、先行技術ではシーケンスに使われる最大CSD値が僅か750nsに制限され得る（20 Mの帯域幅で時間領域信号のサンプリング間隔は50ns）。
【００１２】
IEEE 802．11n規格と同様、IEEE 802．11ac規格で採用されているソリューションではプリアンブルシーケンスのレガシー部分L−STFシーケンスに最大200nsのCSDシーケンスが使われるが、サポートされる最大送信アンテナ数は8まで増やされている。様々な数の送信アンテナでプリアンブルシーケンスのレガシー部分L−STFに使われるCSDシーケンスを図4に示す。
【００１３】
11nと同様、11ac規格でもVHT−STFにL−STFシーケンスが再使用され、11ac規格では持続時間が4μsのOFDMシンボルがVHT−STF部分に使われる。VHT−STF部分に使われるCSDシーケンスを図5に示す。
【００１４】
より良好なAGC性能を得るため、プリアンブルシーケンスのVHT部分とデータ部分の最大CSD値が限界値750nsまで増やされていることが図5から分かるであろう。
【００１５】
IEEE 802．11n規格と同様、IEEE 802．11ac規格における現在のソリューションの限界として、システムではL−STFシーケンスがVHT−STFシーケンスに再使用され、VHT−STFシーケンスの4μsには5サイクルあり、各サイクルの持続時間は800nsである。このため、シーケンスに使われる最大CSD値も同様に僅か750nsに制限され得る（20 Mの帯域幅で時間領域信号のサンプリング間隔は50ns）。
【００１６】
要するに、先行技術のWLANシステムでプリアンブルシーケンスの高効率ショートトレーニングフィールドシーケンスのサイクルは短く、その結果、使用できる最大CSD値はごく限られる。最終的にAGC調整性能は不満足なものになる可能性がある。
【発明の概要】
【課題を解決するための手段】
【００１７】
以上を踏まえ、本開示は、WLANにてデータ伝送フレームのプリアンブルシーケンスで高効率ショートトレーニングシーケンスのサイクルを増大させることができ、さらに高効率ショートトレーニングフィールドシーケンスに適用できる最大CSD値を増加できる、高効率ショートトレーニングフィールドシーケンス生成方法および装置、信号送信方法および装置、ならびに信号受信方法および装置を提供する。
【００１８】
本開示の第1の態様は、
無線ローカルエリアネットワークに応用される信号送信方法であって、現行帯域幅に対応するプリアンブルシーケンスを生成するステップであって、前記プリアンブルシーケンスは高効率ショートトレーニングフィールドシーケンスを含み、前記高効率ショートトレーニングフィールドシーケンスは基準帯域幅に対応するプリアンブルシーケンスにある高効率トレーニングフィールドシーケンスにおけるシーケンスのセグメントに対応しており、前記シーケンスのセグメントのサンプリングレートは前記現行帯域幅に対応するサンプリングレートであり、前記基準帯域幅は前記現行帯域幅を上回る前記シーケンスのセグメントは少なくとも1サイクルを含み、前記サイクルの前記長さはそれぞれ1600nsである、前記ステップと、前記生成されたプリアンブルシーケンスを送信するステップとを含む、信号送信方法。
【００１９】
本開示の他の態様は、無線ローカルエリアネットワークに応用される信号受信方法であって、現行帯域幅に対応するプリアンブルシーケンスを受信するステップであって、前記プリアンブルシーケンスは高効率ショートトレーニングフィールドシーケンスを含み、前記高効率ショートトレーニングフィールドシーケンスは基準帯域幅に対応するプリアンブルシーケンスにある高効率トレーニングフィールドシーケンスにおけるシーケンスのセグメントに対応しており、前記シーケンスのセグメントのサンプリングレートは前記現行帯域幅に対応するサンプリングレートであり、前記基準帯域幅は前記現行帯域幅を上回る、り、前記シーケンスのセグメントは少なくとも1サイクルを含み、前記サイクルの前記長さはそれぞれ1600nsである、前記ステップと、前記受信した高効率ショートトレーニングフィールドシーケンスに基づいて、信号を処理するステップと、を含む、信号受信方法。
【００２０】
本開示の他の態様は、上記の方法を実行することができる装置もしくはデバイスを開示する。
【００２１】
本開示のいくつかの実現可能な実装様態において、第1の高効率ショートトレーニングフィールドシーケンスに対応する周波数領域シーケンスの周波数領域密度が増加されることによって周波数領域密度が増した周波数領域シーケンスが生成され、周波数領域密度が増した周波数領域シーケンスに従って第2の高効率ショートトレーニングフィールドシーケンスが生成され、第2の高効率ショートトレーニングフィールドシーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））として使用されることは、上記の説明から分かるであろう。したがって、本開示の一実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【００２２】
本開示のいくつかの実現可能な実装様態において、第2の帯域幅に対応するプリアンブルシーケンスで第1の高効率ショートトレーニングフィールドシーケンスが得られ、ここで第2の帯域幅は第1の帯域幅を上回り、得られた第1の高効率ショートトレーニングフィールドシーケンスからシーケンスのセグメントが取り込まれ、ここでシーケンスのセグメントに含まれるサンプリングポイントの数量は、第1の帯域幅に対応するプリアンブルシーケンスの高効率ショートトレーニングフィールドシーケンスに対応するサンプリングポイントの数量であり、第2の高効率ショートトレーニングフィールドシーケンスを得るため、取り込まれたシーケンスのセグメントのサンプリングレートは第1の帯域幅に対応するサンプリングレートに変えられ、第1の帯域幅に対応するプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として第2の高効率ショートトレーニングフィールドシーケンスが使用されることは、上記の説明から分かるであろう。したがって、第1の帯域幅に対応するプリアンブルシーケンスで高効率ショートトレーニングフィールドシーケンスのサイクルは増大され、さらに、第1の帯域幅で使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、第1の帯域幅にてWLANシステムで受信される信号に対し2段階からなる自動利得制御AGC調整が遂行されると、より良好なAGC性能を得ることができる。
【００２３】
本開示のいくつかの実現可能な実装様態で、プリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量は3未満であり、生成されたプリアンブルシーケンスが送信されることは、上記の説明から分かるであろう。したがって、本開示の一実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【００２４】
本開示のいくつかの実現可能な実装様態で、プリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量が3未満であることは、上記の説明から分かるであろう。本開示の一実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【００２５】
本開示のいくつかの実現可能な実装様態で、現行帯域幅に対応するプリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回り、生成されたプリアンブルシーケンスが送信されることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【００２６】
本開示のいくつかの実現可能な実装様態で、現行帯域幅に対応するプリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅が現行帯域幅を上回ることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【図面の簡単な説明】
【００２７】
【図１】既存WLAN規格におけるデータフレーム構造と受信機によって遂行されるAGC調整の概略図である。
【図２】先行技術のIEEE 802．11n規格でプリアンブルシーケンスのレガシー部分L−LTFに使われるCSDシーケンスのリストである。
【図３】先行技術のIEEE 802．11n規格でプリアンブルシーケンスのHT−STFに使われるCSDシーケンスのリストである。
【図４】先行技術のIEEE 802．11ac規格でプリアンブルシーケンスのレガシー部分L−LTFに使われるCSDシーケンスのリストである。
【図５】先行技術のIEEE 802．11ac規格でプリアンブルシーケンスのVHTに使われるCSDシーケンスのリストである。
【図６】本開示によるショートトレーニングフィールド生成方法の一実施形態の概略流れ図である。
【図７】本開示によるショートトレーニングフィールド生成方法の別の実施形態の概略流れ図である。
【図８】本開示による高効率ショートトレーニングフィールドシーケンス生成装置の一実施形態の構造構成の概略図である。
【図９】本開示による高効率ショートトレーニングフィールドシーケンス生成装置の別の実施形態の構造構成の概略図である。
【図１０】本開示による高効率ショートトレーニングフィールドシーケンス生成装置の別の実施形態の構造構成の概略図である。
【図１１】本開示による高効率ショートトレーニングフィールドシーケンス生成装置の別の実施形態の構造構成の概略図である。
【図１２】本開示による信号送信方法の一実施形態の概略流れ図である。
【図１３】本開示による信号受信方法の一実施形態の概略流れ図である。
【図１４】本開示による信号送信方法の別の実施形態の概略流れ図である。
【図１５】本開示による信号受信方法の別の実施形態の概略流れ図である。
【図１６】本開示による信号送信デバイスの一実施形態の構造構成の概略図である。
【図１７】本開示による信号受信デバイスの一実施形態の構造構成の概略図である。
【図１８】本開示による信号送信デバイスの別の実施形態の構造構成の概略図である。
【図１９】本開示による信号受信デバイスの別の実施形態の構造構成の概略図である。
【図２０】本開示による信号送信デバイスの別の実施形態の構造構成の概略図である。
【図２１】本開示による信号受信デバイスの別の実施形態の構造構成の概略図である。
【図２２】本開示による信号送信デバイスの別の実施形態の構造構成の概略図である。
【図２３】本開示による信号受信デバイスの別の実施形態の構造構成の概略図である。
【図２４】本開示の技術的解決手段による受信機のAGC性能と既存の技術的解決手段による受信機のAGC性能との比較の概略図である。
【発明を実施するための形態】
【００２８】
これ以降は添付の図面と具体的な実施形態の方法を参照しながら例を挙げて本開示の技術的解決手段を詳しく説明する。
【００２９】
本開示の実施形態は高効率ショートトレーニングフィールドシーケンス生成方法および装置を開示するものであり、方法および装置は無線ローカルエリアネットワークに応用される。
【００３０】
図6は本開示による高効率ショートトレーニングフィールドシーケンス生成方法の一実施形態の手順構成の概略図である。図6に見られるように、方法は下記ステップを含んでよい。
【００３１】
ステップS110：周波数領域密度が増した周波数領域シーケンスを生成するため、第1の高効率ショートトレーニングフィールドシーケンスに対応する周波数領域シーケンスの周波数領域密度を増加させる。
【００３２】
具体的な実装において、本開示の本実施形態における第1の高効率トレーニングフィールドシーケンスは先行技術のWLANシステムにおけるIEEE 802．11n規格のHT−STFであってよく、あるいはIEEE 802．11ac規格のVHT−STFであってよく、ここでIEEE 802．11nにおけるHT−STFの時間領域シーケンスの持続時間は4μsであり（サイクリックプレフィックスCPを含む）、4μsに5サイクルが含まれ、各サイクルの長さは800nsであり、IEEE 802．11acにおけるVHT−STFの時間領域シーケンスの持続時間も4μsであり、4μsに5サイクルが含まれ、各サイクルの長さは800nsである。通常、20 Mの帯域幅で先行技術のWLANにてHT−STFまたはVHT−STFに対応する周波数領域シーケンスは次の通りである。
シーケンス1：
［0，0，0，0，0，0，0，0，1＋1i，0，0，0，−1−1i，0，0，0，1＋1i，0，0，0，−1−1i，0，0，0，−1−1i，0，0，0，1＋1i，0，0，0，．．．，0，0，0，−1−1i，0，0，0，−1−1i，0，0，0，＋1i，0，0，0，1＋1i，0，0，0，1＋1i，0，0，0，1＋1i，0，0，0，0，0，0，0］
【００３３】
最初の帯域幅20 MにてHT−STFまたはVHT−STFの周波数領域シーケンスで値の間に3つの0があることがシーケンス1から分かるであろう。
【００３４】
具体的な実装において、本開示の本実施形態における第1の高効率ショートトレーニングフィールドシーケンスに対応する周波数領域シーケンスは、先行技術のWLANシステムでVHT−STFまたはHT−STFに対応する周波数領域シーケンスの周波数領域密度が本開示の方法を用いて1回または複数回増加された後に得られる周波数領域シーケンスであってよい。具体的に述べると、ステップS110において、第1の高効率ショートトレーニングフィールドシーケンスに対応する周波数領域シーケンスで非ゼロ値の間にある0の数量は減らされてよく、そうすることで周波数領域密度は増す。例えば、シーケンス1で値の間にある3つの0は2つの0に減らされてよく、あるいは1つの0に減らされてよい。シーケンス1の周波数領域密度が増加された後に得られる具体的なシーケンスについてはシーケンス2とシーケンス3を参照されたい。
シーケンス2：
［0，0，0，0，0，0，0，0，1＋1i，0，0，−1−1i，0，0，−1−1i，0，0，−1−1i，0，0，1＋1i，0，0，．．．，0，0，−1−1i，0，0，−1−1i，0，0，−1−1i，0，0，1＋1i，0，0，1＋1i，0，0，1＋1i，0，0，0，0，0，0，0］
シーケンス3：
［0，0，0，0，0，0，0，0，1＋1i，0，−1−1i，0，−1−1i，0，−1−1i，0，1＋1i，0，．．．，0，−1−1i，0，−1−1i，0，−1−1i，0，1＋1i，0，1＋1i，0，1＋1i，0，0，0，0，0，0，0］
【００３５】
20 Mの帯域幅にてHT−STFまたはVHT−STFの周波数領域シーケンスで値の間にある3つの0が2つの0に変えられると、あるいは1つの0に変えられると、対応する時間領域シーケンスのサイクル長は4/3倍と2倍にそれぞれ増大され、4μsの持続時間に3．75サイクルと2．5サイクルをそれぞれ含めることができ、サイクルの長さがそれぞれ3200／3nsと1600nsになることは、シーケンス2とシーケンス3から分かるであろう。
【００３６】
具体的な実装において、本開示の本実施形態における第1の高効率ショートトレーニングフィールドの周波数領域シーケンスは、大きい帯域幅でVHT−STFまたはHT−STFの時間領域シーケンスから取り込まれた時間領域シーケンスの1シーケンスを変換することによって形成される周波数領域シーケンスであってもよい。例えば、40MHzの帯域幅でVHT−STFまたはHT−STFの4μsの時間領域シーケンスから2．5サイクル（80サンプリングポイントを含む）が取り込まれ、取り込まれた2．5サイクルの80サンプリングポイントはその後20MHzにおけるサンプリングレートに従って変換され、これにより20MHzで時間領域サイクルが伸ばされた時間領域シーケンスのセグメントが得られてよい。その後、20MHzで時間領域サイクルが伸ばされた時間領域シーケンスは、時間領域シーケンスと周波数領域シーケンスとの変換関係に従って周波数領域シーケンスに変換される。具体的な実装において、40MHzの帯域幅でVHT−STFまたはHT−STFの4μsの時間領域シーケンスは5サイクルを含み、160サンプリングポイントを含み、ここで各サイクルは800nsである。2．5サイクルで80サンプリングポイントが取り込まれて20MHzにおけるサンプリングレートに従って変換された後に得られる時間領域シーケンスは4μsに2．5サイクルを含み、各サイクルは1600nsに変えられる。時間シーケンスは周波数領域シーケンスに変換され、周波数領域密度が増加された後に時間領域シーケンスが形成され、時間領域シーケンスは4μsに2．5サイクル未満を含む。各サイクルの持続時間は1600nsを上回る。
【００３７】
具体的な実装において、WLAN規格は20MHz、40MHz、80MHz、160MHz等の複数タイプの帯域幅構成をサポートし、ここで20MHzが最小帯域幅である。既存のWLAN規格でショートトレーニングフィールドSTFの周波数領域シーケンス（例えば前述したシーケンス1）は20MHzの帯域幅で規定され、より大きい帯域幅でSTFの周波数領域シーケンスは、周波数領域でSTFシーケンスを繰り返すことにより、さらに相回転を加えることにより、得られる。例えば、20MHzの帯域幅におけるSTF周波数領域は［L−STF］であり、40MHzの帯域幅におけるSTF周波数領域は［1＊L−STF，j＊L−LTF］である。
【００３８】
具体的な実装において、本開示の本実施形態のステップS110で第1の高効率ショートトレーニングフィールドの周波数領域シーケンスの周波数領域密度を増加させるのに使われる方法は、周波数領域シーケンスで非ゼロ値の間にある0の数量を減らす。先に例示したように、シーケンス2とシーケンス3はシーケンス1の周波数密度が増加された後に生成された周波数領域シーケンスである。あるいはまた、本開示の本実施形態において20MHzで時間領域サイクルが伸ばされた時間領域シーケンスを変換することによって得られる周波数領域シーケンスで非ゼロ値の間にある0の数量が増やされてもよく、そうすることで周波数領域密度が増した周波数領域シーケンス4が得られる。
【００３９】
ステップS111：周波数領域密度が増した周波数領域シーケンスに従って第2の高効率ショートトレーニングフィールドシーケンスを生成する。
【００４０】
具体的に述べると、ステップS111では周波数領域密度が増した周波数領域シーケンスに対して逆フーリエ変換が遂行されてよく、尚且つサイクリックプレフィックスが加えられてよく、そうすることで第2の高効率ショートトレーニングフィールドシーケンスが得られる。あるいはまた、ステップS111で周波数領域密度が増した周波数領域シーケンスに対し逆フーリエ変換が遂行されてよく、そうすることで第2の高効率ショートトレーニングフィールドシーケンスが得られる。
【００４１】
ステップS112：無線ローカルエリアネットワークWLANにてデータ伝送フレームのプリアンブルシーケンスで高効率ショートトレーニングフィールドシーケンスとして第2の高効率ショートトレーニングフィールドシーケンスを使用する。
【００４２】
具体的な実装において、WLANネットワークで第2段AGC調整を遂行するために使われるショートトレーニングフィールドシーケンスは、IEEE 802．11nのHT−STFシーケンスであってよく、あるいはIEEE 802．11acのVHT−STFシーケンスであってよく、あるいは次世代WLANネットワークのHE−STF（High−Efficiency−Short Training Field、高効率ショートトレーニングフィールド）であってよく、あるいは第2段AGC調整を遂行するために使われる別のショートトレーニングフィールドシーケンスであってよい。
【００４３】
前述した例を参照し、本開示の本実施形態では、シーケンス2とシーケンス3とに対応する時間領域シーケンスが、無線ローカルエリアネットワークWLANにてデータ伝送フレームのプリアンブルシーケンスで高効率ショートトレーニングフィールドシーケンスとして使用されてよい。あるいはまた、本開示の本実施形態では、周波数領域シーケンス4に対応する時間領域シーケンスが、無線ローカルエリアネットワークWLANにてデータ伝送フレームのプリアンブルシーケンスで高効率ショートトレーニングフィールドシーケンスとして使用されてもよい。
【００４４】
前述した例を参照し、シーケンス2とシーケンス3は4μsの持続時間に2．5サイクルを含み、各サイクルの長さ1600nsである。シーケンス2とシーケンス3とに対応する時間領域シーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として使われる場合は、WLANで使える最大循環シフト遅延CSD値が相応に増加する（シーケンス3が使われる場合、CSD値は先行技術の750nsから1550nsに変えられる）。さらに、プリアンブルシーケンスにあるL−STFと、本開示の本実施形態において第2の高効率ショートトレーニングフィールドで第2段AGC調整を遂行するために使われるサイクルが増大されたショートトレーニングフィールドシーケンスとをそれぞれ使用し、WLANシステムで受信される信号に対し2段階からなる自動利得制御AGC調整が遂行されると、より良好なAGC性能を得ることができる。前述した例を参照し、周波数領域シーケンス4に対応する時間領域シーケンスは4μsに2．5サイクル未満を含み、各サイクルの持続時間は1600nsを上回る。サイクル持続時間が1600nsを上回る時間領域シーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として使われる場合は、WLANで使える最大循環シフト遅延CSD値が相応に増加する（先行技術の750nsから1550ns超に変えられる）。さらに、プリアンブルシーケンスにあるL−STFと、本開示の本実施形態において第2の高効率ショートトレーニングフィールドで第2段AGC調整を遂行するために使われるサイクルが増大されたショートトレーニングフィールドシーケンスとをそれぞれ使用し、WLANシステムで受信される信号に対し2段階からなる自動利得制御AGC調整が遂行されると、より良好なAGC性能を得ることができる。
【００４５】
具体的な実装において、本開示の本実施形態で上に挙げた第1の高効率ショートトレーニングフィールドシーケンスと第2の高効率ショートトレーニングフィールドシーケンスはいずれもサイクリックプレフィックスCPが加えられるシーケンスである。具体的な実装において、各帯域幅でサイクリックプレフィックスCPが加えられない場合、本開示の本実施形態における第1の高効率ショートトレーニングフィールドシーケンスの持続時間と第2の高効率ショートトレーニングフィールドシーケンスの持続時間は3．2μsであってよく、あるは別の値であってよい。第1の高効率ショートトレーニングフィールドシーケンスの持続時間と第2の高効率ショートトレーニングフィールドシーケンスの持続時間が3．2μsである場合は4サイクルが含まれ、各サイクルの持続時間は800nsである。
【００４６】
本開示のいくつかの実現可能な実装様態において、第1の高効率ショートトレーニングフィールドシーケンスに対応する周波数領域シーケンスの周波数領域密度が増加されることによって周波数領域密度が増した周波数領域シーケンスが生成され、周波数領域密度が増した周波数領域シーケンスに従って第2の高効率ショートトレーニングフィールドシーケンスが生成され、第2の高効率ショートトレーニングフィールドシーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））として使用されることは、上記の説明から分かるであろう。したがって、本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【００４７】
図7は本開示によるショートトレーニングフィールド生成方法の別の実施形態の手順構成の概略図である。図7に見られるように、方法は下記ステップを含んでよい。
【００４８】
ステップS210：第2の帯域幅に対応するプリアンブルシーケンスで第1の高効率ショートトレーニングフィールドシーケンスを得て、ここで第2の帯域幅は第1の帯域幅を上回る。
【００４９】
具体的な実装において、WLAN規格は20MHz、40MHz、80MHz、160MHz等の複数タイプの帯域幅構成をサポートし、ここで20MHzが最小帯域幅である。既存のWLAN規格で、ショートトレーニングフィールドSTFの周波数領域シーケンス（例えば前述したシーケンス1）は20MHzの帯域幅で規定され、より大きい帯域幅でSTFの周波数領域シーケンスは、周波数領域でSTFシーケンスを繰り返すことにより、さらに相回転を加えることにより、得られる。例えば、20MHzの帯域幅におけるSTF周波数領域は［L−STF］であり、40MHzの帯域幅におけるSTF周波数領域は［1＊L−STF，j＊L−LTF］である。様々な帯域幅でHT−STFまたはVHT−STFの時間領域シーケンスの持続時間は4μsである。あるいは、より大きい帯域幅は時間領域シーケンスによって使われるサンプリングポイントがより稠密であることを意味する。より大きい帯域幅はHT−STFまたはVHT−STFに対応するSTF時間領域シーケンスがより長いことを意味する。WLAN規格で第1の帯域幅は20MHz、40MHz、または80MHzのいずれか1つであってよいが、ただし第2の帯域幅は第1の帯域幅を上回るものとする。例えば、第1の帯域幅が20MHzなら、第2の帯域幅は40MHz、80MHz、または160MHzのいずれか1つであってよい。第1の帯域幅が40MHzなら、第2の帯域幅は80MHzまたは160MHzのいずれか一方であってよい。第1の帯域幅が80MHzなら、第2の帯域幅は160MHzであってよい。当然ながら、具体的な実装において、本開示の本実施形態で使われる第1の帯域幅と第2の帯域幅は先に挙げた値に限定され得ない。
【００５０】
具体的な実装において、20MHzの帯域幅の場合、4μsの持続時間（サイクリックプレフィックスCPを含む）で高効率ショートトレーニングフィールド（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））シーケンスは80サンプリングポイントを含む。40MHzの帯域幅の場合、4μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は160サンプリングポイントを含む。80MHzの帯域幅の場合、4μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は320サンプリングポイントを含む。時間領域における20MHz帯域幅の持続時間と40MHz帯域幅の持続時間と80MHz帯域幅の持続時間はそれぞれ4μsである。したがって、40MHzまたは80MHzの帯域幅で高効率ショートトレーニングフィールドシーケンスに対し取り込みが遂行されてよく、20MHzの帯域幅に対応するサンプリングレート（50ns）に従って取り込まれた時間領域シーケンスに対しデジタル・アナログ変換がその後遂行され、これにより20MHzで時間領域サイクルが増大された高効率ショートトレーニングフィールドシーケンスが得られる。具体的な実装では、取り込みが遂行される前に、予め符号化された周波数領域シーケンスを変換することによって本開示の本実施形態で取り込まれる時間領域シーケンスが形成される。
【００５１】
具体的な実装において、20MHzの帯域幅の場合、3．2μsの持続時間（サイクリックプレフィックスCPを含む）で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は64サンプリングポイントを含む。40MHzの帯域幅の場合、3．2μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は128サンプリングポイントを含む。80MHzの帯域幅の場合、3．2μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は256サンプリングポイントを含む。時間領域における20MHz帯域幅の持続時間と40MHz帯域幅の持続時間と80MHz帯域幅の持続時間はそれぞれ3．2μsである。したがって、40MHzまたは80MHzの帯域幅でショートトレーニングフィールドの時間領域シーケンスに対し取り込みが遂行されてよく、20MHzの帯域幅に対応するサンプリングレート（50ns）に従って取り込まれた時間領域シーケンスに対しデジタル・アナログ変換がその後遂行され、これにより20MHzで時間領域サイクルが増大されたショートトレーニングフィールドの時間領域シーケンスが得られる。
【００５２】
具体的な実装において、20MHzの帯域幅で対応するサンプリングレートは50nsであり、40MHzの帯域幅で対応するサンプリングレートは25nsであり、80MHzの帯域幅で対応するサンプリングレートは12．5nsであり、160MHzの帯域幅で対応するサンプリングレートは6．25nsである。
【００５３】
具体的な実装において、ステップS210で第1の帯域幅が20MHzなら、第2の帯域幅は40MHz、80MHz、または160MHzのいずれか1つであってよい。第1の高効率ショートトレーニングフィールドシーケンスは、40MHzで4μsの持続時間に160サンプリングポイントを含むシーケンスであってよく、あるいは80MHzの帯域幅で4μsの持続時間に320サンプリングポイントを含むシーケンスであってよく、あるいは160MHzの帯域幅で4μsの持続時間に640サンプリングポイントを含むシーケンスであってよい。第1の帯域幅が40MHzなら、第2の帯域幅は80MHzまたは160MHzのいずれか一方であってよい。第1の高効率ショートトレーニングフィールドシーケンスは、80MHzの帯域幅で4μsの持続時間に320サンプリングポイントを含むシーケンスであってよく、あるいは160MHzの帯域幅で4μsの持続時間に640サンプリングポイントを含むシーケンスであってよい。第1の帯域幅が80MHzなら、第2の帯域幅は160MHzであってよい。第1の高効率ショートトレーニングフィールドシーケンスは、160MHzの帯域幅で4μsの持続時間に640サンプリングポイントを含むシーケンスであってよい。
【００５４】
さらに、いくつかの実施形態において、本開示の第1の高効率ショートトレーニングフィールドシーケンスは4μsの持続時間に5サイクルを含んでよく、各サイクルの長さは800nsである。
【００５５】
ステップS211：得られた第1の高効率ショートトレーニングフィールドシーケンスからシーケンスのセグメントを取り込み、ここでシーケンスのセグメントに含まれるサンプリングポイントの数量は、第1の帯域幅に対応するプリアンブルシーケンスの高効率ショートトレーニングフィールドシーケンスに対応するサンプリングポイントの数量である。
【００５６】
具体的な実装において、得られた第1の高効率ショートトレーニングフィールドシーケンスからシーケンスのセグメントが取り込まれる際は、第2の帯域幅に対応するプリアンブルシーケンスにて第1の高効率ショートトレーニングフィールドシーケンスから既定の開始位置による正規順序でシーケンスのセグメントが取り込まれる。通常、取り込まれるシーケンスのセグメントは少なくとも1サイクルを含むものとする。
【００５７】
例えば、第1の帯域幅は20MHzであり、第2の帯域幅は40MHzであり、時間領域シーケンスの持続時間は4μsである。本開示の本実施形態では、40MHzの帯域幅で高効率ショートトレーニングフィールドシーケンスにおける160サンプリングポイントから既定の開始位置（例えば40MHzの帯域幅で高効率ショートトレーニングフィールドシーケンスの開始位置または非開始位置）による正規順序で80サンプリングポイントが取り込まれてよい（これは2．5サイクルの時間領域シーケンスを取り込むことに相当する）。
【００５８】
例えば、第1の帯域幅は20MHzであり、第2の帯域幅は80MHzであり、時間領域シーケンスの持続時間は4μsである。本開示の本実施形態では、80MHzの帯域幅でショートトレーニングフィールドの時間領域シーケンスにおける320サンプリングポイントから既定の開始位置（例えば80MHzの帯域幅でショートトレーニングフィールドの高効率ショートトレーニングフィールドシーケンスの開始位置または非開始位置）による正規順序で80サンプリングポイントが取り込まれてよい（これは1．25サイクルの時間領域シーケンスを取り込むことに相当する）。
【００５９】
具体的な実装において、得られた第1の高効率ショートトレーニングフィールドシーケンスからシーケンスのセグメントが取り込まれる際は、第2の帯域幅に対応するプリアンブルシーケンスにて第1の高効率ショートトレーニングフィールドシーケンスから既定の終了位置による逆順序でシーケンスのセグメントが取り込まれる。
【００６０】
例えば、第1の帯域幅は40MHzであり、第2の帯域幅は80MHzであり、時間領域シーケンスの持続時間は4μsである。本開示の本実施形態では、80MHzの帯域幅で高効率ショートトレーニングフィールドシーケンスにおける320サンプリングポイントから既定の終了位置（例えば80MHzの帯域幅で高効率ショートトレーニングフィールドシーケンスの終了位置または非終了位置）による逆順序で160サンプリングポイントが取り込まれてよい（これは2．5サイクルの時間領域シーケンスを取り込むことに相当する）。
【００６１】
例えば、第1の帯域幅は20MHzであり、第2の帯域幅は80MHzであり、時間領域シーケンスの持続時間は4μsである。本開示の本実施形態では、80MHzの帯域幅で高効率ショートトレーニングフィールドシーケンスにおける320サンプリングポイントから既定の終了位置（例えば80MHzの帯域幅で高効率ショートトレーニングフィールドシーケンスの終了位置または非終了位置）による逆順序で80サンプリングポイントが取り込まれてよい（これは1．25サイクルの時間領域シーケンスを取り込むことに相当する）。
【００６２】
ステップS212：第2の高効率ショートトレーニングフィールドシーケンスを得るため、取り込まれたシーケンスのセグメントのサンプリングレートを第1の帯域幅に対応するサンプリングレートに変える。
【００６３】
例えば、第1の帯域幅は20MHzであり、第2の帯域幅は40MHzであり、時間領域シーケンスの持続時間は4μsである。第1の帯域幅の時間領域シーケンスの持続時間と第2の帯域幅の時間領域シーケンスの持続時間はいずれも4μsであるため、40MHzの帯域幅で取り込まれた80サンプリングポイントのサンプリングレートが25nsから50nsに変えられた後（2．5サイクルの時間領域シーケンスを取り込むことに相当）、20MHzの帯域幅で相応に形成される第2の高効率ショートトレーニングフィールドシーケンスは4μsに2．5サイクルを含み、各サイクルの持続時間は1600nsに変えられる（説明を容易にするため、この時間領域シーケンスはシーケンス5と表記する）。
【００６４】
例えば、第1の帯域幅は20MHzであり、第2の帯域幅は80MHzであり、時間領域シーケンスの持続時間は4μsである。第1の帯域幅の時間領域シーケンスの持続時間と第2の帯域幅の時間領域シーケンスの持続時間はいずれも4μsであるため、80MHzの帯域幅で取り込まれた80サンプリングポイントのサンプリングレートが12．5nsから50nsに変えられた後（1．25サイクルの時間領域シーケンスを取り込むことに相当）、20MHzの帯域幅で相応に形成される第2の高効率ショートトレーニングフィールドシーケンスは4μsに1．25サイクルを含み、各サイクルの持続時間は3200nsに変えられる（説明を容易にするため、この時間領域シーケンスはシーケンス6と表記する）。
【００６５】
例えば、第1の帯域幅は40MHzであり、第2の帯域幅は80MHzであり、時間領域シーケンスの持続時間は4μsである。第1の帯域幅の時間領域シーケンスの持続時間と第2の帯域幅の時間領域シーケンスの持続時間はいずれも4μsであるため、80MHzの帯域幅で取り込まれた160サンプリングポイントのサンプリングレートが12．5nsから25nsに変えられた後（2．5サイクルの時間領域シーケンスを取り込むことに相当）、40MHzの帯域幅で相応に形成される第2の高効率ショートトレーニングフィールドシーケンスは4μsに2．5サイクルを含み、各サイクルの持続時間は1600nsに変えられる（説明を容易にするため、この時間領域シーケンスはシーケンス7と表記する）。
【００６６】
例えば、第1の帯域幅は20MHzであり、第2の帯域幅は80MHzであり、時間領域シーケンスの持続時間は3．2μsである。第1の帯域幅の時間領域シーケンスの持続時間と第2の帯域幅の時間領域シーケンスの持続時間はいずれも3．2μsであるため、80MHzの帯域幅で取り込まれた64サンプリングポイントのサンプリングレートが12．5nsから50nsに変えられた後（1サイクルの時間領域シーケンスを取り込むことに相当）、20MHzの帯域幅で相応に形成される第2の高効率ショートトレーニングフィールドシーケンスは3．2μsに1サイクルを含み、各サイクルの持続時間は3200nsに変えられる（説明を容易にするため、この時間領域シーケンスはシーケンス8と表記する）。
【００６７】
ステップS213：第1の帯域幅に対応するプリアンブルシーケンスで高効率ショートトレーニングフィールドシーケンスとして第2の高効率ショートトレーニングフィールドシーケンスを使用する。
【００６８】
具体的な実装において、WLANネットワークで第2段AGC調整を遂行するために使われるショートトレーニングフィールドシーケンスは、IEEE 802．11nのHT−STFシーケンスであってよく、あるいはIEEE 802．11acのVHT−STFシーケンスであってよく、あるいは次世代WLANネットワークのHE−STF（High−Efficiency−Short Training Field、高効率ショートトレーニングフィールド）であってよく、あるいは第2段AGC調整を遂行するために使われる別のショートトレーニングフィールドシーケンスであってよい。前述した例を参照し、本開示の本実施形態では、無線ローカルエリアネットワークWLANにて第1の帯域幅に対応するデータ伝送フレームのプリアンブルシーケンスで高効率ショートトレーニングフィールドシーケンスとして前述したシーケンス5からシーケンス8までが使用されてよい。
【００６９】
具体的に述べると、シーケンス5とシーケンス7は4μsの持続時間に2．5サイクルを含み、各サイクルの長さは1600nsである。したがって、無線ローカルエリアネットワークWLANにて第1の帯域幅（それぞれ20MHzと40MHz）に対応するデータ伝送フレームのプリアンブルシーケンスで高効率ショートトレーニングフィールドシーケンスとしてシーケンス5とシーケンス7とが使用される場合は、第1の帯域幅で使える最大循環シフト遅延CSD値が相応に増加する（先行技術の750nsから1550nsに変えられる）。さらに、プリアンブルシーケンスにあるL−STFと、本開示の本実施形態においてサイクルが増大されたシーケンス5またはシーケンス7とをそれぞれ使用し、20MHzの帯域幅か40MHzの帯域幅にてWLANシステムで受信される信号に対し2段階からなる自動利得制御AGC調整が遂行されると（最大CSD値は750nsから1550nsに増加）、より良好なAGC性能を得ることができる。
【００７０】
具体的に述べると、シーケンス6とシーケンス8の4μsの持続時間で各サイクルの長さは1600nsである。したがって、無線ローカルエリアネットワークWLANにて20MHzの帯域幅に対応するデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）としてシーケンス6とシーケンス8とが使用される場合は、20MHzの帯域幅にてWLANで使える最大循環シフト遅延CSD値が相応に増加する（先行技術の750nsから3150nsに変えられる）。さらに、プリアンブルシーケンスにあるL−STFと、本開示の本実施形態においてサイクルが増大されたシーケンス6またはシーケンス8（使用できる最大循環シフト遅延CSD値は先行技術の750nsから3150nsに変えられている）とをそれぞれ使用し、20MHzの帯域幅にてWLANシステムで受信される信号に対し2段階からなる自動利得制御AGC調整が遂行されると、より良好なAGC性能を得ることができる。
【００７１】
本開示のいくつかの実現可能な実装様態において、第2の帯域幅に対応するプリアンブルシーケンスで第1の高効率ショートトレーニングフィールドシーケンスが得られ、ここで第2の帯域幅は第1の帯域幅を上回り、得られた第1の高効率ショートトレーニングフィールドシーケンスからシーケンスのセグメントが取り込まれ、ここでシーケンスのセグメントに含まれるサンプリングポイントの数量は、第1の帯域幅に対応するプリアンブルシーケンスの高効率ショートトレーニングフィールドシーケンスに対応するサンプリングポイントの数量であり、第2の高効率ショートトレーニングフィールドシーケンスを得るため、取り込まれたシーケンスのセグメントのサンプリングレートは第1の帯域幅に対応するサンプリングレートに変えられ、第1の帯域幅に対応するプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として第2の高効率ショートトレーニングフィールドシーケンスが使用されることは、上記の説明から分かるであろう。したがって、第1の帯域幅に対応するプリアンブルシーケンスで高効率ショートトレーニングフィールドシーケンスのサイクルは増大され、さらに、第1の帯域幅で使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、第1の帯域幅にてWLANシステムで受信される信号に対し2段階からなる自動利得制御AGC調整が遂行されると、より良好なAGC性能を得ることができる。
【００７２】
図8は本開示による高効率ショートトレーニングフィールドシーケンス生成装置の一実施形態の構造構成の概略図である。図8に見られるように、装置は少なくとも処理モジュール31と、生成モジュール32と、設定モジュール33とを含んでよい。
【００７３】
処理モジュール31は、周波数領域密度が増した周波数領域シーケンスを生成するため、第1の高効率ショートトレーニングフィールドシーケンスに対応する周波数領域シーケンスの周波数領域密度を増加させるよう構成される。
【００７４】
生成モジュール32は、処理モジュール31によって生成された周波数領域密度が増した周波数領域シーケンスに従って第2の高効率ショートトレーニングフィールドシーケンスを生成するよう構成される。
【００７５】
設定モジュール33は、無線ローカルエリアネットワークWLANにてデータ伝送フレームのプリアンブルシーケンスで高効率ショートトレーニングフィールドとして生成モジュール32によって生成された第2の高効率ショートトレーニングフィールドシーケンスを使用するよう構成される。
【００７６】
具体的な実装において、本開示の本実施形態における第1の高効率トレーニングフィールドシーケンスは先行技術のWLANシステムにおけるIEEE 802．11n規格のHT−STFであってよく、あるいはIEEE 802．11ac規格のVHT−STFであってよく、ここでIEEE 802．11nにおけるHT−STFの時間領域シーケンスの持続時間は4μsであり（サイクリックプレフィックスCPを含む）、4μsに5サイクルが含まれ、各サイクルの長さは800nsであり、IEEE 802．11acにおけるVHT−STFの時間領域シーケンスの持続時間も4μsであり、4μsに5サイクルが含まれ、各サイクルの長さは800nsである。通常、20 Mの帯域幅で先行技術のWLANにてHT−STFまたはVHT−STFに対応する周波数領域シーケンスは次の通りである。
シーケンス1：
［0，0，0，0，0，0，0，0，1＋1i，0，0，0，−1−1i，0，0，0，1＋1i，0，0，0，−1−1i，0，0，0，−1−1i，0，0，0，1＋1i，0，0，0，．．．，0，0，0，−1−1i，0，0，0，−1−1i，0，0，0，＋1i，0，0，0，1＋1i，0，0，0，1＋1i，0，0，0，1＋1i，0，0，0，0，0，0，0］
【００７７】
最初の帯域幅20 MにてHT−STFまたはVHT−STFの周波数領域シーケンスで値の間に3つの0があることがシーケンス1から分かるであろう。
【００７８】
具体的な実装において、本開示の本実施形態における第1の高効率ショートトレーニングフィールドシーケンスに対応する周波数領域シーケンスは、先行技術のWLANシステムでVHT−STFまたはHT−STFに対応する周波数領域シーケンスの周波数領域密度が本開示の方法を用いて1回または複数回増加された後に得られる周波数領域シーケンスであってよい。具体的に述べると、ステップS110において、第1の高効率ショートトレーニングフィールドシーケンスに対応する周波数領域シーケンスで非ゼロ値の間にある0の数量は減らされてよく、そうすることで周波数領域密度は増す。例えば、シーケンス1で値の間にある3つの0は2つの0に減らされてよく、あるいは1つの0に減らされてよい。シーケンス1の周波数領域密度が増加された後に得られる具体的なシーケンスについてはシーケンス2とシーケンス3を参照されたい。
シーケンス2：
［0，0，0，0，0，0，0，0，1＋1i，0，0，−1−1i，0，0，−1−1i，0，0，−1−1i，0，0，1＋1i，0，0，．．．，0，0，−1−1i，0，0，−1−1i，0，0，−1−1i，0，0，1＋1i，0，0，1＋1i，0，0，1＋1i，0，0，0，0，0，0，0］
シーケンス3：
［0，0，0，0，0，0，0，0，1＋1i，0，−1−1i，0，−1−1i，0，−1−1i，0，1＋1i，0，．．．，0，−1−1i，0，−1−1i，0，−1−1i，0，1＋1i，0，1＋1i，0，1＋1i，0，0，0，0，0，0，0］
【００７９】
20 Mの帯域幅にてHT−STFまたはVHT−STFの周波数領域シーケンスで値の間にある3つの0が2つの0に変えられると、あるいは1つの0に変えられると、対応する時間領域シーケンスのサイクル長は4/3倍と2倍にそれぞれ増大され、4μsの持続時間に3．75サイクルと2．5サイクルをそれぞれ含めることができ、サイクルの長さがそれぞれ3200／3nsと1600nsになることは、シーケンス2とシーケンス3から分かるであろう。
【００８０】
具体的な実装において、本開示の本実施形態における第1の高効率ショートトレーニングフィールドの周波数領域シーケンスは、大きい帯域幅でVHT−STFまたはHT−STFの時間領域シーケンスから取り込まれた時間領域シーケンスの1シーケンスを変換することによって形成される周波数領域シーケンスであってもよい。例えば、40MHzの帯域幅でVHT−STFまたはHT−STFの4μsの時間領域シーケンスから2．5サイクル（80サンプリングポイントを含む）が取り込まれ、取り込まれた2．5サイクルの80サンプリングポイントはその後20MHzにおけるサンプリングレートに従って変換され、これにより20MHzで時間領域サイクルが伸ばされた時間領域シーケンスのセグメントが得られてよい。その後、20MHzで時間領域サイクルが伸ばされた時間領域シーケンスは、時間領域シーケンスと周波数領域シーケンスとの変換関係に従って周波数領域シーケンスに変換される。具体的な実装において、40MHzの帯域幅でVHT−STFまたはHT−STFの4μsの時間領域シーケンスは5サイクルを含み、160サンプリングポイントを含み、ここで各サイクルは800nsである。2．5サイクルで80サンプリングポイントが取り込まれて20MHzにおけるサンプリングレートに従って変換された後に得られる時間領域シーケンスは4μsに2．5サイクルを含み、各サイクルは1600nsに変えられる。時間シーケンスは周波数領域シーケンスに変換され、周波数領域密度が増加された後に時間領域シーケンスが形成され、時間領域シーケンスは4μsに2．5サイクル未満を含む。各サイクルの持続時間は1600nsを上回る。
【００８１】
具体的な実装において、WLAN規格は20MHz、40MHz、80MHz、160MHz等の複数タイプの帯域幅構成をサポートし、ここで20MHzが最小帯域幅である。既存のWLAN規格でショートトレーニングフィールドSTFの周波数領域シーケンス（例えば前述したシーケンス1）は20MHzの帯域幅で規定され、より大きい帯域幅でSTFの周波数領域シーケンスは、周波数領域でSTFシーケンスを繰り返すことにより、さらに相回転を加えることにより、得られる。例えば、20MHzの帯域幅におけるSTF周波数領域は［L−STF］であり、40MHzの帯域幅におけるSTF周波数領域は［1＊L−STF，j＊L−LTF］である。
【００８２】
具体的な実装において、本開示の本実施形態で第1の高効率ショートトレーニングフィールドの周波数領域シーケンスの周波数領域密度を増加させるため処理モジュール31で使われる方法は、周波数領域シーケンスで非ゼロ値の間にある0の数量を減らす。先に例示したように、シーケンス2とシーケンス3はシーケンス1の周波数密度が増加された後に生成された周波数領域シーケンスである。あるいはまた、本開示の本実施形態において20MHzで時間領域サイクルが伸ばされた時間領域シーケンスを変換することによって得られる周波数領域シーケンスで非ゼロ値の間にある0の数量が増やされてもよく、そうすることで周波数領域密度が増した周波数領域シーケンス4が得られる。
【００８３】
具体的に述べると、生成モジュール32は、具体的には、周波数領域密度が増した周波数領域シーケンスに対し逆フーリエ変換を遂行してよく、尚且つサイクリックプレフィックスを加えてよく、そうすることで第2の高効率ショートトレーニングフィールドシーケンスを得る。あるいはまた、生成モジュール32は、具体的には、周波数領域密度が増した周波数領域シーケンスに対し逆フーリエ変換を遂行してよく、そうすることで第2の高効率ショートトレーニングフィールドシーケンスを得る。
【００８４】
具体的な実装において、WLANネットワークで第2段AGC調整を遂行するために使われるショートトレーニングフィールドシーケンスは、IEEE 802．11nのHT−STFシーケンスであってよく、あるいはIEEE 802．11acのVHT−STFシーケンスであってよく、あるいは次世代WLANネットワークのHE−STF（High−Efficiency−Short Training Field、高効率ショートトレーニングフィールド）であってよく、あるいは第2段AGC調整を遂行するために使われる別のショートトレーニングフィールドシーケンスであってよい。
【００８５】
前述した例を参照し、本開示の本実施形態で設定モジュール33は、無線ローカルエリアネットワークWLANにてデータ伝送フレームのプリアンブルシーケンスで高効率ショートトレーニングフィールドシーケンスとしてシーケンス2とシーケンス3とに対応する時間領域シーケンスを使用してよい。あるいはまた、本開示の本実施形態では、周波数領域シーケンス4に対応する時間領域シーケンスが、無線ローカルエリアネットワークWLANにてデータ伝送フレームのプリアンブルシーケンスで高効率ショートトレーニングフィールドシーケンスとして使用されてもよい。
【００８６】
前述した例を参照し、シーケンス2とシーケンス3は4μsの持続時間に2．5サイクルを含み、各サイクルの長さ1600nsである。シーケンス2とシーケンス3とに対応する時間領域シーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として使われる場合は、WLANで使える最大循環シフト遅延CSD値が相応に増加する（シーケンス3が使われる場合、CSD値は先行技術の750nsから1550nsに変えられる）。さらに、プリアンブルシーケンスにあるL−STFと、本開示の本実施形態において第2の高効率ショートトレーニングフィールドで第2段AGC調整を遂行するために使われるサイクルが増大されたショートトレーニングフィールドシーケンスとをそれぞれ使用し、WLANシステムで受信される信号に対し2段階からなる自動利得制御AGC調整が遂行されると、より良好なAGC性能を得ることができる。前述した例を参照し、周波数領域シーケンス4に対応する時間領域シーケンスは4μsに2．5サイクル未満を含み、各サイクルの持続時間は1600nsを上回る。サイクル持続時間が1600nsを上回る時間領域シーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として使われる場合は、WLANで使える最大循環シフト遅延CSD値が相応に増加する（先行技術の750nsから1550ns超に変えられる）。さらに、プリアンブルシーケンスにあるL−STFと、本開示の本実施形態において第2の高効率ショートトレーニングフィールドで第2段AGC調整を遂行するために使われるサイクルが増大されたショートトレーニングフィールドシーケンスとをそれぞれ使用し、WLANシステムで受信される信号に対し2段階からなる自動利得制御AGC調整が遂行されると、より良好なAGC性能を得ることができる。
【００８７】
具体的な実装において、本開示の本実施形態で上に挙げた第1の高効率ショートトレーニングフィールドシーケンスと第2の高効率ショートトレーニングフィールドシーケンスはいずれもサイクリックプレフィックスCPが加えられるシーケンスである。具体的な実装において、各帯域幅でサイクリックプレフィックスCPが加えられない場合、本開示の本実施形態における第1の高効率ショートトレーニングフィールドシーケンスの持続時間と第2の高効率ショートトレーニングフィールドシーケンスの持続時間は3．2μsであってよく、あるは別の値であってよい。第1の高効率ショートトレーニングフィールドシーケンスの持続時間と第2の高効率ショートトレーニングフィールドシーケンスの持続時間が3．2μsである場合は4サイクルが含まれ、各サイクルの持続時間は800nsである。
【００８８】
本開示のいくつかの実現可能な実装様態において、第1の高効率ショートトレーニングフィールドシーケンスに対応する周波数領域シーケンスの周波数領域密度が増加されることによって周波数領域密度が増した周波数領域シーケンスが生成され、周波数領域密度が増した周波数領域シーケンスに従って第2の高効率ショートトレーニングフィールドシーケンスが生成され、第2の高効率ショートトレーニングフィールドシーケンスが無線ローカルエリアネットワークWLANにおけるデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））として使用されることは、上記の説明から分かるであろう。したがって、本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【００８９】
図9は本開示による高効率ショートトレーニングフィールドシーケンス生成装置の別の実施形態の手順構成の概略図である。図9に見られるように、装置は少なくとも取得モジュール41と、取り込みモジュール42と、生成モジュール43と、設定モジュール44とを含んでよい。
【００９０】
取得モジュール41は、第2の帯域幅に対応するプリアンブルシーケンスで第1の高効率ショートトレーニングフィールドシーケンスを得るよう構成され、ここで第2の帯域幅は第1の帯域幅を上回る。
【００９１】
取り込みモジュール42は、取得モジュール41によって得られた第1の高効率ショートトレーニングフィールドシーケンスからシーケンスのセグメントを取り込むよう構成され、ここでシーケンスのセグメントに含まれるサンプリングポイントの数量は、第1の帯域幅に対応するプリアンブルシーケンスの高効率ショートトレーニングフィールドシーケンスに対応するサンプリングポイントの数量である。
【００９２】
生成モジュール43は、第2の高効率ショートトレーニングフィールドシーケンスを得るため、取り込みモジュール42によって取り込まれたシーケンスのセグメントのサンプリングレートを第1の帯域幅に対応するサンプリングレートに変えるよう構成される。
【００９３】
設定モジュール44は、第1の帯域幅に対応するプリアンブルシーケンスで高効率ショートトレーニングフィールドシーケンスとして生成モジュール43によって生成された第2の高効率ショートトレーニングフィールドシーケンスを使用するよう構成される。
【００９４】
具体的な実装において、WLAN規格は20MHz、40MHz、80MHz、160MHz等の複数タイプの帯域幅構成をサポートし、ここで20MHzが最小帯域幅である。既存のWLAN規格で、ショートトレーニングフィールドSTFの周波数領域シーケンス（例えば前述したシーケンス1）は20MHzの帯域幅で規定され、より大きい帯域幅でSTFの周波数領域シーケンスは、周波数領域でSTFシーケンスを繰り返すことにより、さらに相回転を加えることにより、得られる。例えば、20MHzの帯域幅におけるSTF周波数領域は［L−STF］であり、40MHzの帯域幅におけるSTF周波数領域は［1＊L−STF，j＊L−LTF］である。様々な帯域幅でHT−STFまたはVHT−STFの時間領域シーケンスの持続時間は4μsである。あるいは、より大きい帯域幅は時間領域シーケンスによって使われるサンプリングポイントがより稠密であることを意味する。より大きい帯域幅はHT−STFまたはVHT−STFに対応するSTF時間領域シーケンスがより長いことを意味する。WLAN規格で第1の帯域幅は20MHz、40MHz、または80MHzのいずれか1つであってよいが、ただし第2の帯域幅は第1の帯域幅を上回るものとする。例えば、第1の帯域幅が20MHzなら、第2の帯域幅は40MHz、80MHz、または160MHzのいずれか1つであってよい。第1の帯域幅が40MHzなら、第2の帯域幅は80MHzまたは160MHzのいずれか一方であってよい。第1の帯域幅が80MHzなら、第2の帯域幅は160MHzであってよい。当然ながら、具体的な実装において、本開示の本実施形態で使われる第1の帯域幅と第2の帯域幅は先に挙げた値に限定され得ない。
【００９５】
具体的な実装において、20MHzの帯域幅の場合、4μsの持続時間（サイクリックプレフィックスCPを含む）で高効率ショートトレーニングフィールド（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））シーケンスは80サンプリングポイントを含む。40MHzの帯域幅の場合、4μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は160サンプリングポイントを含む。80MHzの帯域幅の場合、4μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は320サンプリングポイントを含む。時間領域における20MHz帯域幅の持続時間と40MHz帯域幅の持続時間と80MHz帯域幅の持続時間はそれぞれ4μsである。したがって、40MHzまたは80MHzの帯域幅で高効率ショートトレーニングフィールドシーケンスに対し取り込みが遂行されてよく、20MHzの帯域幅に対応するサンプリングレート（50ns）に従って取り込まれた時間領域シーケンスに対しデジタル・アナログ変換がその後遂行され、これにより20MHzで時間領域サイクルが増大された高効率ショートトレーニングフィールドシーケンスが得られる。具体的な実装では、取り込みが遂行される前に、予め符号化された周波数領域シーケンスを変換することによって本開示の本実施形態で取り込まれる時間領域シーケンスが形成される。
【００９６】
具体的な実装において、20MHzの帯域幅の場合、3．2μsの持続時間（サイクリックプレフィックスCPを含む）で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は64サンプリングポイントを含む。40MHzの帯域幅の場合、3．2μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は128サンプリングポイントを含む。80MHzの帯域幅の場合、3．2μsの持続時間で高効率ショートトレーニングフィールドシーケンス（例えばIEEE 802．11nのHT−STFシーケンス、またはIEEE 802．11acのVHT−STFシーケンス、または次世代WLANネットワークのHE−STF（High−Efficiency−Short Training Field、高効率ショートトレーニングフィールド））は256サンプリングポイントを含む。時間領域における20MHz帯域幅の持続時間と40MHz帯域幅の持続時間と80MHz帯域幅の持続時間はそれぞれ3．2μsである。したがって、40MHzまたは80MHzの帯域幅でショートトレーニングフィールドの時間領域シーケンスに対し取り込みが遂行されてよく、20MHzの帯域幅に対応するサンプリングレート（50ns）に従って取り込まれた時間領域シーケンスに対しデジタル・アナログ変換がその後遂行され、これにより20MHzで時間領域サイクルが増大されたショートトレーニングフィールドの時間領域シーケンスが得られる。
【００９７】
具体的な実装において、20MHzの帯域幅で対応するサンプリングレートは50nsであり、40MHzの帯域幅で対応するサンプリングレートは25nsであり、80MHzの帯域幅で対応するサンプリングレートは12．5nsであり、160MHzの帯域幅で対応するサンプリングレートは6．25nsである。
【００９８】
具体的な実装において、第1の帯域幅が20MHzなら、第2の帯域幅は40MHz、80MHz、または160MHzのいずれか1つであってよい。第1の高効率ショートトレーニングフィールドシーケンスは、40MHzの帯域幅で4μsの持続時間に160サンプリングポイントを含むシーケンスであってよく、あるいは80MHzの帯域幅で4μsの持続時間に320サンプリングポイントを含むシーケンスであってよく、あるいは160MHzの帯域幅で4μsの持続時間に640サンプリングポイントを含むシーケンスであってよい。第1の帯域幅が40MHzなら、第2の帯域幅は80MHzまたは160MHzのいずれか一方であってよい。第1の高効率ショートトレーニングフィールドシーケンスは、80MHzの帯域幅で4μsの持続時間に320サンプリングポイントを含むシーケンスであってよく、あるいは160MHzの帯域幅で4μsの持続時間に640サンプリングポイントを含むシーケンスであってよい。第1の帯域幅が80MHzなら、第2の帯域幅は160MHzであってよい。第1の高効率ショートトレーニングフィールドシーケンスは、160MHzの帯域幅で4μsの持続時間に640サンプリングポイントを含むシーケンスであってよい。
【００９９】
さらに、いくつかの実施形態において、本開示の第1の高効率ショートトレーニングフィールドシーケンスは4μsの持続時間に5サイクルを含んでよく、各サイクルの長さは800nsである。
【０１００】
具体的な実装において、得られた第1の高効率ショートトレーニングフィールドシーケンスからシーケンスのセグメントを取り込む際に、取り込みモジュール42は、第2の帯域幅に対応するプリアンブルシーケンスにて第1の高効率ショートトレーニングフィールドシーケンスから既定の開始位置による正規順序でシーケンスのセグメントを取り込む。通常、取り込まれるシーケンスのセグメントは少なくとも1サイクルを含むものとする。
【０１０１】
例えば、第1の帯域幅は20MHzであり、第2の帯域幅は40MHzであり、時間領域シーケンスの持続時間は4μsである。本開示の本実施形態における取り込みモジュール42は、40MHzの帯域幅で高効率ショートトレーニングフィールドシーケンスにおける160サンプリングポイントから既定の開始位置（例えば40MHzの帯域幅で高効率ショートトレーニングフィールドシーケンスの開始位置または非開始位置）による正規順序で80サンプリングポイントを取り込んでよい（これは2．5サイクルの時間領域シーケンスを取り込むことに相当する）。
【０１０２】
例えば、第1の帯域幅は20MHzであり、第2の帯域幅は80MHzであり、時間領域シーケンスの持続時間は4μsである。本開示の本実施形態における取り込みモジュール42は、80MHzの帯域幅でショートトレーニングフィールドの時間領域シーケンスにおける320サンプリングポイントから既定の開始位置（例えば80MHzの帯域幅でショートトレーニングフィールドの高効率ショートトレーニングフィールドシーケンスの開始位置または非開始位置）による正規順序で80サンプリングポイントを取り込んでよい（これは1．25サイクルの時間領域シーケンスを取り込むことに相当する）。
【０１０３】
具体的な実装において、得られた第1の高効率ショートトレーニングフィールドシーケンスからシーケンスのセグメントを取り込む際に、取り込みモジュール42は、第2の帯域幅に対応するプリアンブルシーケンスにて第1の高効率ショートトレーニングフィールドシーケンスから既定の終了位置による逆順序でシーケンスのセグメントを取り込む。
【０１０４】
例えば、第1の帯域幅は40MHzであり、第2の帯域幅は80MHzであり、時間領域シーケンスの持続時間は4μsである。本開示の本実施形態における取り込みモジュール42は、80MHzの帯域幅で高効率ショートトレーニングフィールドシーケンスにおける320サンプリングポイントから既定の終了位置（例えば80MHzの帯域幅で高効率ショートトレーニングフィールドシーケンスの終了位置または非終了位置）による逆順序で160サンプリングポイントを取り込んでよい（これは2．5サイクルの時間領域シーケンスを取り込むことに相当する）。
【０１０５】
例えば、第1の帯域幅は20MHzであり、第2の帯域幅は80MHzであり、時間領域シーケンスの持続時間は4μsである。本開示の本実施形態における取り込みモジュール42は、80MHzの帯域幅で高効率ショートトレーニングフィールドシーケンスにおける320サンプリングポイントから既定の終了位置（例えば80MHzの帯域幅で高効率ショートトレーニングフィールドシーケンスの終了位置または非終了位置）による逆順序で80サンプリングポイントを取り込んでよい（これは1．25サイクルの時間領域シーケンスを取り込むことに相当する）。
【０１０６】
例えば、第1の帯域幅は20MHzであり、第2の帯域幅は40MHzであり、時間領域シーケンスの持続時間は4μsである。第1の帯域幅の時間領域シーケンスの持続時間と第2の帯域幅の時間領域シーケンスの持続時間はいずれも4μsであるため、生成モジュール43を用いて40MHzの帯域幅で取り込まれた80サンプリングポイントのサンプリングレートが25nsから50nsに変えられた後（2．5サイクルの時間領域シーケンスを取り込むことに相当）、20MHzの帯域幅で相応に形成される第2の高効率ショートトレーニングフィールドシーケンスは4μsに2．5サイクルを含み、各サイクルの持続時間は1600nsに変えられる（説明を容易にするため、この時間領域シーケンスはシーケンス5と表記する）。
【０１０７】
例えば、第1の帯域幅は20MHzであり、第2の帯域幅は80MHzであり、時間領域シーケンスの持続時間は4μsである。第1の帯域幅の時間領域シーケンスの持続時間と第2の帯域幅の時間領域シーケンスの持続時間はいずれも4μsであるため、生成モジュール43を用いて80MHzの帯域幅で取り込まれた80サンプリングポイントのサンプリングレートが12．5nsから50nsに変えられた後（1．25サイクルの時間領域シーケンスを取り込むことに相当）、20MHzの帯域幅で相応に形成される第2の高効率ショートトレーニングフィールドシーケンスは4μsに1．25サイクルを含み、各サイクルの持続時間は3200nsに変えられる（説明を容易にするため、この時間領域シーケンスはシーケンス6と表記する）。
【０１０８】
例えば、第1の帯域幅は40MHzであり、第2の帯域幅は80MHzであり、時間領域シーケンスの持続時間は4μsである。第1の帯域幅の時間領域シーケンスの持続時間と第2の帯域幅の時間領域シーケンスの持続時間はいずれも4μsであるため、生成モジュール43を用いて80MHzの帯域幅で取り込まれた160サンプリングポイントのサンプリングレートが12．5nsから25nsに変えられた後（2．5サイクルの時間領域シーケンスを取り込むことに相当）、40MHzの帯域幅で相応に形成される第2の高効率ショートトレーニングフィールドシーケンスは4μsに2．5サイクルを含み、各サイクルの持続時間は1600nsに変えられる（説明を容易にするため、この時間領域シーケンスはシーケンス7と表記する）。
【０１０９】
例えば、第1の帯域幅は20MHzであり、第2の帯域幅は80MHzであり、時間領域シーケンスの持続時間は3．2μsである。第1の帯域幅の時間領域シーケンスの持続時間と第2の帯域幅の時間領域シーケンスの持続時間はいずれも3．2μsであるため、生成モジュール43を用いて80MHzの帯域幅で取り込まれた64サンプリングポイントのサンプリングレートが12．5nsから50nsに変えられた後（1サイクルの時間領域シーケンスを取り込むことに相当する）、20MHzの帯域幅で相応に形成される第2の高効率ショートトレーニングフィールドシーケンスは3．2μsに1サイクルを含み、各サイクルの持続時間は3200nsに変えられる（説明を容易にするため、この時間領域シーケンスはシーケンス8と表記する）。
【０１１０】
具体的な実装において、WLANネットワークで第2段AGC調整を遂行するために使われるショートトレーニングフィールドシーケンスは、IEEE 802．11nのHT−STFシーケンスであってよく、あるいはIEEE 802．11acのVHT−STFシーケンスであってよく、あるいは次世代WLANネットワークのHE−STF（High−Efficiency−Short Training Field、高効率ショートトレーニングフィールド）であってよく、あるいは第2段AGC調整を遂行するために使われる別のショートトレーニングフィールドシーケンスであってよい。
【０１１１】
前述した例を参照し、本開示の本実施形態における設定モジュール44は、無線ローカルエリアネットワークWLANにて第1の帯域幅に対応するデータ伝送フレームのプリアンブルシーケンスで高効率ショートトレーニングフィールドシーケンスとして前述したシーケンス5からシーケンス8までを使用してよい。
【０１１２】
具体的に述べると、シーケンス5とシーケンス7は4μsの持続時間に2．5サイクルを含み、各サイクルの長さは1600nsである。したがって、設定モジュール44が無線ローカルエリアネットワークWLANにて第1の帯域幅（それぞれ20MHzと40MHz）に対応するデータ伝送フレームのプリアンブルシーケンスで高効率ショートトレーニングフィールドシーケンスとしてシーケンス5とシーケンス7とを使用する場合は、第1の帯域幅で使える最大循環シフト遅延CSD値が相応に増加する（先行技術の750nsから1550nsに変えられる）。さらに、プリアンブルシーケンスにあるL−STFと、本開示の本実施形態においてサイクルが増大されたシーケンス5またはシーケンス7とをそれぞれ使用し、20MHzの帯域幅か40MHzの帯域幅にてWLANシステムで受信される信号に対し2段階からなる自動利得制御AGC調整が遂行されると（最大CSD値は750nsから1550nsに増加）、より良好なAGC性能を得ることができる。
【０１１３】
具体的に述べると、シーケンス6とシーケンス8の4μsの持続時間で各サイクルの長さは1600nsである。したがって、設定モジュール44が無線ローカルエリアネットワークWLANにて20MHzの帯域幅に対応するデータ伝送フレームのプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）としてシーケンス6とシーケンス8とを使用する場合は、20MHzの帯域幅にてWLANで使える最大循環シフト遅延CSD値が相応に増加する（先行技術の750nsから3150nsに変えられる）。さらに、プリアンブルシーケンスにあるL−STFと、本開示の本実施形態においてサイクルが増大されたシーケンス6またはシーケンス8（使用できる最大循環シフト遅延CSD値は先行技術の750nsから3150nsに変えられている）とをそれぞれ使用し、20MHzの帯域幅にてWLANシステムで受信される信号に対し2段階からなる自動利得制御AGC調整が遂行されると、より良好なAGC性能を得ることができる。
【０１１４】
本開示のいくつかの実現可能な実装様態において、第2の帯域幅に対応するプリアンブルシーケンスで第1の高効率ショートトレーニングフィールドシーケンスが得られ、ここで第2の帯域幅は第1の帯域幅を上回り、得られた第1の高効率ショートトレーニングフィールドシーケンスからシーケンスのセグメントが取り込まれ、ここでシーケンスのセグメントに含まれるサンプリングポイントの数量は、第1の帯域幅に対応するプリアンブルシーケンスの高効率ショートトレーニングフィールドシーケンスに対応するサンプリングポイントの数量であり、第2の高効率ショートトレーニングフィールドシーケンスを得るため、取り込まれたシーケンスのセグメントのサンプリングレートは第1の帯域幅に対応するサンプリングレートに変えられ、第1の帯域幅に対応するプリアンブルシーケンスで高効率ショートトレーニングフィールドシーケンス（例えばIEEE 802．11nのHT−STFシーケンス、またはIEEE 802．11acのVHT−STFシーケンス、または次世代WLANネットワークのHE−STF）として第2の高効率ショートトレーニングフィールドシーケンスが使用されることは、上記の説明から分かるであろう。したがって、第1の帯域幅に対応するプリアンブルシーケンスで高効率ショートトレーニングフィールドシーケンスのサイクルは増大され、さらに、第1の帯域幅で使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、第1の帯域幅にてWLANシステムで受信される信号に対し2段階からなる自動利得制御AGC調整が遂行されると、より良好なAGC性能を得ることができる。
【０１１５】
図10は本開示による高効率ショートトレーニングフィールドシーケンス生成装置の別の実施形態の構造構成の概略図である。図10に見られるように、本実施形態のショートトレーニングフィールド生成装置は入力装置101と、出力装置102と、通信リンク103と、送受信装置104と、メモリ105と、プロセッサ106とを含んでよい。
【０１１６】
入力装置101は外部から高効率ショートトレーニングフィールドシーケンス生成装置に入力される入力データを受け取るよう構成される。
【０１１７】
具体的な実装において、本開示の本実施形態における入力装置101は、キーボード、マウス、光電子入力装置、音声入力装置、タッチ方式入力装置、スキャナ等を含んでよい。
【０１１８】
出力装置102は高効率ショートトレーニングフィールドシーケンス生成装置の出力データを外部へ出力するよう構成される。具体的な実装において、本開示の本実施形態における出力装置102は、ディスプレイ、ラウドスピーカ、プリンタ等を含んでよい。
【０１１９】
通信リンク103は高効率ショートトレーニングフィールドシーケンス生成装置と別のデバイスとの間に通信接続を成立させるよう構成される。具体的な実装において、本開示の本実施形態における通信リンク103は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０１２０】
送受信装置104は通信リンク103を使って別のデバイスと通信するよう構成され、例えばデータを送受する。具体的な実装において、送受信装置104はアンテナであってよく、あるいは別の送受信装置であってよい。
【０１２１】
メモリ105は様々な機能を有するプログラムデータを格納するよう構成される。具体的な実装において、本開示の本実施形態におけるメモリ105は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ105は、磁気ディスクやディスクや磁気テープといったシステムの外部にある外部メモリであってもよい。
【０１２２】
プロセッサ106はメモリ105に格納されたプログラムデータを呼び出すよう構成され、これにより下記処理を、すなわち、
周波数領域密度が増した周波数領域シーケンスを生成するため、第1の高効率ショートトレーニングフィールドシーケンスに対応する周波数領域シーケンスの周波数領域密度を増加させるステップと、
周波数領域密度が増した周波数領域シーケンスに従って第2の高効率ショートトレーニングフィールドシーケンスを生成するステップと、
無線ローカルエリアネットワークWLANにてデータ伝送フレームのプリアンブルシーケンスで高効率ショートトレーニングフィールドシーケンスとして第2の高効率ショートトレーニングフィールドシーケンスを使用するステップとを実行する。
【０１２３】
いくつかの実現可能な実装様態において、プロセッサ106が周波数領域密度が増した周波数領域シーケンスに従って第2の高効率ショートトレーニングフィールドシーケンスを生成するステップを遂行することは、
第2の高効率ショートトレーニングフィールドシーケンスを得るため、周波数領域密度が増した周波数領域シーケンスに対し逆フーリエ変換を遂行するステップと、サイクリックプレフィックスを加えるステップとを含む。
【０１２４】
いくつかの実現可能な実装様態において、第1の高効率ショートトレーニングフィールドシーケンスに対応する周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iであり、隣接する非ゼロ値の間にあるゼロ値の数量は3または2である。
【０１２５】
図11は本開示による高効率ショートトレーニングフィールドシーケンス生成装置の別の実施形態の構造構成の概略図である。図11に見られるように、本実施形態の高効率ショートトレーニングフィールドシーケンス生成装置は入力装置111と、出力装置112と、通信リンク113と、送受信装置114と、メモリ115と、プロセッサ116とを含んでよい。
【０１２６】
入力装置111は外部から高効率ショートトレーニングフィールドシーケンス生成装置に入力される入力データを受け取るよう構成される。具体的な実装において、本開示の本実施形態における入力装置111は、キーボード、マウス、光電子入力装置、音声入力装置、タッチ方式入力装置、スキャナ等を含んでよい。
【０１２７】
出力装置112は高効率ショートトレーニングフィールドシーケンス生成装置の出力データを外部へ出力するよう構成される。具体的な実装において、本開示の本実施形態における出力装置112は、ディスプレイ、ラウドスピーカ、プリンタ等を含んでよい。
【０１２８】
通信リンク113は高効率ショートトレーニングフィールドシーケンス生成装置と別のデバイスとの間に通信接続を成立させるよう構成される。具体的な実装において、本開示の本実施形態における通信リンク113は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０１２９】
送受信装置114は通信リンク113を使って別のデバイスと通信するよう構成され、例えばデータを送受する。具体的な実装において、送受信装置114はアンテナであってよく、あるいは別の送受信装置であってよい。
【０１３０】
メモリ115は様々な機能を有するプログラムデータを格納するよう構成される。具体的な実装において、本開示の本実施形態におけるメモリ115は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ115は、磁気ディスクやディスクや磁気テープといったシステムの外部にある外部メモリであってもよい。
【０１３１】
プロセッサ116はメモリ115に格納されたプログラムデータを呼び出すよう構成され、これにより下記処理を、すなわち、
第2の帯域幅に対応するプリアンブルシーケンスで第1の高効率ショートトレーニングフィールドシーケンスを得るステップであって、第2の帯域幅は第1の帯域幅を上回る、ステップと、
得られた第1の高効率ショートトレーニングフィールドシーケンスからシーケンスのセグメントを取り込むステップであって、シーケンスのセグメントに含まれるサンプリングポイントの数量は、第1の帯域幅に対応するプリアンブルシーケンスの高効率ショートトレーニングフィールドシーケンスに対応するサンプリングポイントの数量である、ステップと、
第2の高効率ショートトレーニングフィールドシーケンスを得るため、取り込まれたシーケンスのセグメントのサンプリングレートを第1の帯域幅に対応するサンプリングレートに変えるステップと、
第1の帯域幅に対応するプリアンブルシーケンスで高効率ショートトレーニングフィールドシーケンスとして第2の高効率ショートトレーニングフィールドシーケンスを使用するステップとを実行する。
【０１３２】
いくつかの実現可能な実装様態において、得られた第1の高効率ショートトレーニングフィールドシーケンスからシーケンスのセグメントを取り込むステップを遂行する際に、プロセッサ116は、具体的には、第2の帯域幅に対応するプリアンブルシーケンスにて第1の高効率ショートトレーニングフィールドシーケンスから既定の開始位置による正規順序でシーケンスのセグメントを取り込む。
【０１３３】
いくつかの実現可能な実装様態において、得られた第1の高効率ショートトレーニングフィールドシーケンスからシーケンスのセグメントを取り込むステップを遂行する際に、プロセッサ116は、具体的には、第2の帯域幅に対応するプリアンブルシーケンスにて第1の高効率ショートトレーニングフィールドシーケンスから既定の終了位置による逆順序でシーケンスのセグメントを取り込む。
【０１３４】
いくつかの実現可能な実装様態において、第2の帯域幅に対応するプリアンブルシーケンスにおける第1の高効率ショートトレーニングフィールドシーケンスはサイクリックプレフィックスを含まない。
【０１３５】
いくつかの実現可能な実装様態において、第2の帯域幅に対応するプリアンブルシーケンスにおける第1の高効率ショートトレーニングフィールドシーケンスは予め符号化された周波数領域シーケンスを変換することによって形成される。
【０１３６】
いくつかの実現可能な実装様態において、第2の帯域幅に対応するプリアンブルシーケンスにおける第1の高効率ショートトレーニングフィールドシーケンスは4μsの持続時間を有し、5サイクルを含み、各サイクルの長さは800nsである。
【０１３７】
相応に、本開示の実施形態は信号送信方法と、信号受信方法と、関連装置とをさらに開示する。
【０１３８】
図12は本開示による信号送信方法の一実施形態の概略流れ図である。図12に見られるように、方法は下記ステップを含んでよい。
【０１３９】
ステップS120：プリアンブルシーケンスを生成し、ここでプリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である。
【０１４０】
具体的な実装において、本実施形態における高効率ショートトレーニングフィールドシーケンスは、本開示の図6に見られる実施形態で上述した高効率ショートトレーニングシーケンス方法で生成される様々な高効率ショートトレーニングフィールドシーケンスであってよい。当然ながら、本実施形態における高効率ショートトレーニングフィールドは別の高効率ショートトレーニング方法に従って生成されるシーケンスであってもよい。
【０１４１】
ステップS121：生成されたプリアンブルシーケンスを送信する。
【０１４２】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。この周波数領域シーケンスの全体については前述したシーケンス1を参照されたい。
【０１４３】
いくつかの実現可能な実装様態において、本実施形態で高効率ショートトレーニングフィールドシーケンスに対応する周波数領域シーケンスにおいて隣接する非ゼロ値の間にあるゼロ値の数量は1または2である。例えば、隣接する非ゼロ値の間にあるゼロ値の数量が1または2である周波数領域シーケンスは、前述したシーケンス2またはシーケンス3である。
【０１４４】
本開示のいくつかの実現可能な実装様態で、プリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量は3未満であり、生成されたプリアンブルシーケンスが送信されることは、上記の説明から分かるであろう。したがって、本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【０１４５】
図13は本開示による信号受信方法の一実施形態の概略流れ図である。この方法は図12の信号送信方法に対応している。図13に見られるように、方法は下記ステップを具体的に含む。
【０１４６】
ステップS130：プリアンブルシーケンスを受信し、ここでプリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である。
【０１４７】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。
【０１４８】
いくつかの実現可能な実装様態において、本実施形態で高効率ショートトレーニングフィールドシーケンスに対応する周波数領域シーケンスにおいて隣接する非ゼロ値の間にあるゼロ値の数量は1または2である。
【０１４９】
本開示のいくつかの実現可能な実装様態で、プリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量が3未満であることは、上記の説明から分かるであろう。本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【０１５０】
図14は本開示による信号送信方法の別の実施形態の概略流れ図である。図14に見られるように、方法は下記ステップを含んでよい。
【０１５１】
ステップS140：現行帯域幅に対応するプリアンブルシーケンスを生成し、ここでプリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る。
【０１５２】
具体的な実装において、本実施形態の高効率ショートトレーニングフィールドシーケンスは図7の方法で生成される第2の高効率ショートトレーニングフィールドシーケンスであってよい。この場合、現行帯域幅は第1の帯域幅に相当し、基準帯域幅は第2の帯域幅に相当する。当然ながら、本実施形態で高効率ショートトレーニングシーケンスを生成したり得たりすることは図7の方法に限定されない。
【０１５３】
ステップS141：生成されたプリアンブルシーケンスを送信する。
【０１５４】
いくつかの実現可能な実装様態において、本実施形態におけるシーケンスのセグメントは少なくとも1サイクルを含む。
【０１５５】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１５６】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１５７】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１５８】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１５９】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１６０】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１６１】
本開示のいくつかの実現可能な実装様態で、現行帯域幅に対応するプリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回り、生成されたプリアンブルシーケンスが送信されることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【０１６２】
図15は本開示による信号受信方法の別の実施形態の概略流れ図である。この方法は図14の信号送信方法に対応している。図15に見られるように、方法は下記ステップを含む。
【０１６３】
ステップS150：現行帯域幅に対応するプリアンブルシーケンスを受信し、ここでプリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る。
【０１６４】
いくつかの実現可能な実装様態において、本実施形態におけるシーケンスのセグメントは少なくとも1サイクルを含む。
【０１６５】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１６６】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１６７】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１６８】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１６９】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１７０】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１７１】
本開示のいくつかの実現可能な実装様態で、現行帯域幅に対応するプリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅が現行帯域幅を上回ることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【０１７２】
図16は本開示による信号送信デバイスの一実施形態の構造構成の概略図である。このデバイスは図12の信号送信方法を実施するよう構成されてよい。図16に見られるように、デバイスは生成モジュール160と送信モジュール161とを含んでよい。
【０１７３】
生成モジュール160はプリアンブルシーケンスを生成するよう構成され、ここでプリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である。
【０１７４】
送信モジュール161は生成されたプリアンブルシーケンスを送信するよう構成される。
【０１７５】
具体的な実装において、本実施形態における高効率ショートトレーニングフィールドシーケンスは、図6に見られる前述の方法で生成される第2の高効率ショートトレーニングフィールドシーケンスであってよい。当然ながら、本実施形態の高効率ショートトレーニングフィールドシーケンスは別の様態で生成されたり得られたりしてもよい。
【０１７６】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。この周波数領域シーケンスの完全なシーケンスは前述したシーケンス1である。
【０１７７】
いくつかの実現可能な実装様態において、高効率ショートトレーニングフィールドシーケンスに対応する周波数領域シーケンスにおいて隣接する非ゼロ値の間にあるゼロ値の数量は1または2である。例えば、非ゼロ値の間にあるゼロ値の数量が1であるシーケンスは前述したシーケンス2であってよく、非ゼロ値の間にあるゼロ値の数量が1であるシーケンスは前述したシーケンス3であってよい。
【０１７８】
本開示のいくつかの実現可能な実装様態で、プリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量は3未満であり、生成されたプリアンブルシーケンスが送信されることは、上記の説明から分かるであろう。したがって、本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【０１７９】
図17は本開示による信号受信デバイスの一実施形態の構造構成の概略図である。このデバイスは図13の信号受信方法を実施するよう構成されてよい。図17に見られるように、デバイスは、
プリアンブルシーケンスを受信するよう構成された受信モジュール170であって、プリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である、受信モジュール170を含んでよい。
【０１８０】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。この周波数領域シーケンスの完全なシーケンスは前述したシーケンス1である。
【０１８１】
いくつかの実現可能な実装様態において、高効率ショートトレーニングフィールドシーケンスに対応する周波数領域シーケンスにおいて隣接する非ゼロ値の間にあるゼロ値の数量は1または2である。例えば、非ゼロ値の間にあるゼロ値の数量が1であるシーケンスは前述したシーケンス2であってよく、非ゼロ値の間にあるゼロ値の数量が1であるシーケンスは前述したシーケンス3であってよい。
【０１８２】
本開示のいくつかの実現可能な実装様態で、プリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスに対応する周波数領域シーケンスで隣接する非ゼロ値の間にあるゼロ値の数量が3未満であることは、上記の説明から分かるであろう。本開示の本実施形態でWLANにおけるデータ伝送フレームのプリアンブルシーケンスで高効率ショートトレーニングシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、WLANで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、WLANシステムで受信される信号に対し2段階からなる自動利得制御AGC調整が遂行されると、より良好なAGC性能を得ることができる。
【０１８３】
図18は本開示による信号送信デバイスの別の実施形態の構造構成の概略図である。このデバイスは図14で前述した信号送信方法を実施するよう構成されてよい。図18に見られるように、デバイスは生成モジュール180と送信モジュール181とを含んでよい。
【０１８４】
生成モジュール180は現行帯域幅に対応するプリアンブルシーケンスを生成するよう構成され、ここでプリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る。
【０１８５】
送信モジュール181は生成されたプリアンブルシーケンスを送信するよう構成される。
【０１８６】
具体的な実装において、本実施形態の高効率ショートトレーニングフィールドシーケンスは図7の方法で生成される第2の高効率ショートトレーニングフィールドシーケンスであってよい。この場合、現行帯域幅は第1の帯域幅に相当し、基準帯域幅は第2の帯域幅に相当する。当然ながら、本実施形態で高効率ショートトレーニングシーケンスを生成したり得たりすることは図7の方法に限定されない。
【０１８７】
いくつかの実現可能な実装様態において、本実施形態におけるシーケンスのセグメントは少なくとも1サイクルを含む。
【０１８８】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１８９】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１９０】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１９１】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１９２】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１９３】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１９４】
本開示のいくつかの実現可能な実装様態で、現行帯域幅に対応するプリアンブルシーケンスが生成され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回り、生成されたプリアンブルシーケンスが送信されることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【０１９５】
図19は本開示による信号受信デバイスの別の実施形態の構造構成の概略図である。このデバイスは図15の信号受信方法を実施するよう構成されてよい。図19に見られるように、デバイスは、
現行帯域幅に対応するプリアンブルシーケンスを受信するよう構成された受信モジュール190であって、プリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る、受信モジュール190を含んでよい。
【０１９６】
いくつかの実現可能な実装様態において、本実施形態におけるシーケンスのセグメントは少なくとも1サイクルを含む。
【０１９７】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０１９８】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０１９９】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２００】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２０１】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２０２】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２０３】
本開示のいくつかの実現可能な実装様態で、現行帯域幅に対応するプリアンブルシーケンスが受信され、ここでプリアンブルシーケンスは高効率ショートトレーニングフィールドシーケンス（例えばIEEE 802．11nのHT−STFシーケンス、またはIEEE 802．11acのVHT−STFシーケンス、または次世代WLANネットワークのHE−STF）を含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅が現行帯域幅を上回ることは、上記の説明から分かるであろう。したがって、現行帯域幅に対応するプリアンブルシーケンスで高効率ショートトレーニングフィールドシーケンスのサイクルは、先行技術のIEEE 802．11nにおける既存HT−STFシーケンスのサイクルに比べて、あるはIEEE 802．11acにおける既存VHT−STFシーケンスのサイクルに比べて、増大され、さらに、現行帯域幅にてWLANシステムで使える最大循環シフト遅延CSD値は相応に増加する。さらに、L−STFシーケンスと、プリアンブルシーケンスのサイクルが増大されたHT−STFシーケンス、またはVHT−STFシーケンス、またはHE−STFシーケンスとをそれぞれ使用し、現行帯域幅にてWLANシステムで受信される信号に対し2段階からなる自動利得制御AGC調整が遂行されると、より良好なAGC性能を得ることができる。
【０２０４】
図20は本開示による信号送信デバイスの別の実施形態の構造構成の概略図である。このデバイスは図12の信号送信方法を実施するよう構成されてよい。図20に見られるように、デバイスは入力装置2011と、出力装置2012と、通信リンク2013と、送受信装置2014と、メモリ2015と、プロセッサ2016とを含む。
【０２０５】
入力装置2011は外部から信号送信デバイスに入力される入力データを受け取るよう構成される。
【０２０６】
具体的な実装において、本開示の本実施形態における入力装置2011は、キーボード、マウス、光電子入力装置、音声入力装置、タッチ方式入力装置、スキャナ等を含んでよい。
【０２０７】
出力装置2012は信号送信デバイスの出力データを外部へ出力するよう構成される。具体的な実装において、本開示の本実施形態における出力装置2012は、ディスプレイ、ラウドスピーカ、プリンタ等を含んでよい。
【０２０８】
通信リンク2013は信号送信デバイスと別のデバイスとの間に通信接続を成立させるよう構成される。具体的な実装において、本開示の本実施形態における通信リンク2013は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０２０９】
送受信装置2014は通信リンク2013を使って別のデバイスと通信するよう構成され、例えばデータを送受する。具体的な実装において、送受信装置2014はアンテナであってよく、あるいは別の送受信装置であってよい。
【０２１０】
メモリ2015は様々な機能を有するプログラムデータを格納するよう構成される。具体的な実装において、本開示の本実施形態におけるメモリ2015は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ2015は、磁気ディスクやディスクや磁気テープといったシステムの外部にある外部メモリであってもよい。
【０２１１】
プロセッサ2016はメモリ2015に格納されたプログラムデータを呼び出すよう構成され、これにより下記処理を、すなわち、
プリアンブルシーケンスを生成するステップであって、プリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である、ステップと、
生成されたプリアンブルシーケンスを送信のため送受信装置2014へ送るステップと
を実行する。
【０２１２】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。
【０２１３】
いくつかの実現可能な実装様態において、本実施形態で高効率ショートトレーニングフィールドシーケンスに対応する周波数領域シーケンスにおいて隣接する非ゼロ値の間にあるゼロ値の数量は1または2である。
【０２１４】
図21は本開示による信号受信デバイスの別の実施形態の構造構成の概略図である。このデバイスは図13の信号受信方法を実施するよう構成されてよい。図21に見られるように、デバイスは入力装置2111と、出力装置2112と、通信リンク2113と、送受信装置2114と、メモリ2115と、プロセッサ2116とを含んでよい。
【０２１５】
入力装置2111は外部から信号受信デバイスに入力される入力データを受け取るよう構成される。具体的な実装において、本開示の本実施形態における入力装置2111は、キーボード、マウス、光電子入力装置、音声入力装置、タッチ方式入力装置、スキャナ等を含んでよい。
【０２１６】
出力装置2112は信号受信デバイスの出力データを外部へ出力するよう構成される。具体的な実装において、本開示の本実施形態における出力装置2112は、ディスプレイ、ラウドスピーカ、プリンタ等を含んでよい。
【０２１７】
通信リンク2113は信号受信デバイスと別のデバイスとの間に通信接続を成立させるよう構成される。具体的な実装において、本開示の本実施形態における通信リンク2113は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０２１８】
送受信装置2114は通信リンク2113を使って別のデバイスと通信するよう構成され、例えばデータを送受する。具体的な実装において、送受信装置2114はアンテナであってよく、あるいは別の送受信装置であってよい。本実施形態で送受信装置2114によって受信されるプリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である。
【０２１９】
メモリ2115は様々な機能を有するプログラムデータを格納するよう構成される。具体的な実装において、本開示の本実施形態におけるメモリ2115は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ2115は、磁気ディスクやディスクや磁気テープといったシステムの外部にある外部メモリであってもよい。
【０２２０】
プロセッサ2116はメモリ2115に格納されたプログラムデータを呼び出すよう構成され、これにより下記処理を、すなわち、
送受信装置2114からプリアンブルシーケンスを受け取るステップを実行する。
【０２２１】
いくつかの実現可能な実装様態において、本実施形態の周波数領域シーケンスにおける非ゼロ値は順に1＋1i，−1−1i，1＋1i，−1−1i，−1−1i，1＋1i，−1−1i，−1−1i，1＋1i，1＋1i，1＋1i，および1＋1iである。
【０２２２】
いくつかの実現可能な実装様態において、本実施形態で高効率ショートトレーニングフィールドシーケンスに対応する周波数領域シーケンスにおいて隣接する非ゼロ値の間にあるゼロ値の数量は1または2である。
【０２２３】
図22は本開示による信号送信デバイスの別の実施形態の構造構成の概略図である。このデバイスは図14の信号送信方法を実施するよう構成されてよい。図22に見られるように、デバイスは入力装置2211と、出力装置2212と、通信リンク2213と、送受信装置2214と、メモリ2215と、プロセッサ2216とを含んでよい。
【０２２４】
入力装置2211は外部から信号送信デバイスに入力される入力データを受け取るよう構成される。具体的な実装において、本開示の本実施形態における入力装置2211は、キーボード、マウス、光電子入力装置、音声入力装置、タッチ方式入力装置、スキャナ等を含んでよい。
【０２２５】
出力装置2212は信号送信デバイスの出力データを外部へ出力するよう構成される。具体的な実装において、本開示の本実施形態における出力装置2212は、ディスプレイ、ラウドスピーカ、プリンタ等を含んでよい。
【０２２６】
通信リンク2213は信号送信デバイスと別のデバイスとの間に通信接続を成立させるよう構成される。具体的な実装において、本開示の本実施形態における通信リンク2213は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０２２７】
送受信装置2214は通信リンク2213を使って別のデバイスと通信するよう構成され、例えばデータを送受する。具体的な実装において、送受信装置2214はアンテナであってよく、あるいは別の送受信装置であってよい。本実施形態で送受信装置2214によって受信されるプリアンブルシーケンスは高効率ショートトレーニングフィールドシーケンスを含み、高効率ショートトレーニングフィールドシーケンスに対応する周波数領域シーケンスで隣接する非ゼロ値の間にあるゼロ値の数量は3未満である。
【０２２８】
メモリ2215は様々な機能を有するプログラムデータを格納するよう構成される。具体的な実装において、本開示の本実施形態におけるメモリ2215は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ2215は、磁気ディスクやディスクや磁気テープといったシステムの外部にある外部メモリであってもよい。
【０２２９】
プロセッサ2216はメモリ2215に格納されたプログラムデータを呼び出すよう構成され、これにより下記処理を、すなわち、
現行帯域幅に対応するプリアンブルシーケンスを生成するステップであって、プリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る、ステップと、
生成されたプリアンブルシーケンスを送信のため送受信装置へ送るステップと
を実行する。
【０２３０】
いくつかの実現可能な実装様態において、本実施形態におけるシーケンスのセグメントは少なくとも1サイクルを含む。
【０２３１】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２３２】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２３３】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２３４】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２３５】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２３６】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２３７】
図23は本開示による信号受信デバイスの別の実施形態の構造構成の概略図である。このデバイスは図15の信号受信方法を実施するよう構成されてよい。図23に見られるように、デバイスは入力装置2311と、出力装置2312と、通信リンク2313と、送受信装置2314と、メモリ2315と、プロセッサ2316とを含んでよい。
【０２３８】
入力装置2311は外部から信号送信デバイスに入力される入力データを受け取るよう構成される。具体的な実装において、本開示の本実施形態における入力装置2311は、キーボード、マウス、光電子入力装置、音声入力装置、タッチ方式入力装置、スキャナ等を含んでよい。
【０２３９】
出力装置2312は信号送信デバイスの出力データを外部へ出力するよう構成される。具体的な実装において、本開示の本実施形態における出力装置2312は、ディスプレイ、ラウドスピーカ、プリンタ等を含んでよい。
【０２４０】
通信リンク2313は信号送信デバイスと別のデバイスとの間に通信接続を成立させるよう構成される。具体的な実装において、本開示の本実施形態における通信リンク2313は伝搬媒体の一種であってよい。伝搬媒体は通常、コンピュータ可読命令、データ構造、プログラムモジュール、またはその他データを別の変調データ信号（キャリヤや他の搬送機構等）の形に具現できる。例えば、伝搬媒体は有線ネットワークや直接有線接続等の有線媒体を含んでよい。あるいはまた、伝搬媒体は音波や高周波や赤外線等の有線媒体を含んでよい。
【０２４１】
送受信装置2314は通信リンク2313を使って別のデバイスと通信するよう構成され、例えばデータを送受する。具体的な実装において、送受信装置2314はアンテナであってよく、あるいは別の送受信装置であってよい。本実施形態で送受信装置2314によって受信されるプリアンブルシーケンスは高効率ショートトレーニングフィールドシーケンスを含み、高効率ショートトレーニングフィールドシーケンスは基準帯域幅に対応するプリアンブルシーケンスにある高効率トレーニングフィールドシーケンスにおけるシーケンスのセグメントに対応しており、シーケンスのセグメントのサンプリングレートは現行帯域幅に対応するサンプリングレートであり、基準帯域幅は現行帯域幅を上回る。
【０２４２】
メモリ2315は様々な機能を有するプログラムデータを格納するよう構成される。具体的な実装において、本開示の本実施形態におけるメモリ2315は、揮発性メモリ（RAM等）や不揮発性メモリ（ROM、フラッシュメモリ等）や揮発性メモリと不揮発性メモリとの組み合わせといったシステムメモリであってよい。具体的な実装において、本開示の本実施形態におけるメモリ2315は、磁気ディスクやディスクや磁気テープといったシステムの外部にある外部メモリであってもよい。
【０２４３】
プロセッサ2316はメモリ2315に格納されたプログラムデータを呼び出すよう構成され、これにより下記処理を、すなわち、
送受信装置2314からプリアンブルシーケンスを受け取るステップを実行する。
【０２４４】
いくつかの実現可能な実装様態において、本実施形態におけるシーケンスのセグメントは少なくとも1サイクルを含む。
【０２４５】
いくつかの実現可能な実装様態において、本実施形態における現行帯域幅は20MHzであり、現行帯域幅に対応するプリアンブルシーケンスに含まれる高効率ショートトレーニングフィールドシーケンスは4μsの持続時間を有し、80サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは4μsの持続時間を有し、160サンプリングポイントを含み、25nsのサンプリングレートに対応し、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２４６】
いくつかの実現可能な実装様態において、本実施形態における現行帯域幅は20MHzであり、現行帯域幅に対応するプリアンブルシーケンスに含まれる高効率ショートトレーニングフィールドシーケンスは3．2μsの持続時間を有し、64サンプリングポイントを含み、50nsのサンプリングレートに対応し、
基準帯域幅は40MHz、80MHz、または160MHzのいずれか1つであり、
40MHzの基準帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２４７】
いくつかの実現可能な実装様態において、本実施形態における現行帯域幅は40MHzであり、現行帯域幅に対応するプリアンブルシーケンスに含まれる高効率ショートトレーニングフィールドシーケンスは4μsの持続時間を有し、160サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２４８】
いくつかの実現可能な実装様態において、本実施形態における現行帯域幅は40MHzであり、現行帯域幅に対応するプリアンブルシーケンスに含まれる高効率ショートトレーニングフィールドシーケンスは3．2μsの持続時間を有し、128サンプリングポイントを含み、25nsのサンプリングレートに対応し、
基準帯域幅は80MHzまたは160MHzのいずれか一方であり、
80MHzの基準帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２４９】
いくつかの実現可能な実装様態において、本実施形態における現行帯域幅は80MHzであり、現行帯域幅に対応するプリアンブルシーケンスに含まれる高効率ショートトレーニングフィールドシーケンスは4μsの持続時間を有し、320サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは4μsの持続時間を有し、640サンプリングポイントを含み、6．25nsのサンプリングレートに対応する。
【０２５０】
いくつかの実現可能な実装様態において、本実施形態における現行帯域幅は80MHzであり、現行帯域幅に対応するプリアンブルシーケンスに含まれる高効率ショートトレーニングフィールドシーケンスは3．2μsの持続時間を有し、256サンプリングポイントを含み、12．5nsのサンプリングレートに対応し、
基準帯域幅は160MHzであり、
160MHzの基準帯域幅に対応するプリアンブルシーケンスに含まれる高効率ショートトレーニングフィールドシーケンスは43．2μsの持続時間を有し、512サンプリングポイントを含み、6．25nsのサンプリングレートに対応する。
【０２５１】
加えて、本開示の一実施形態はコンピュータ記憶媒体をさらに提供し、ここでコンピュータ記憶媒体はプログラムを格納してよく、プログラムが実行されると、本開示の実施形態で説明された方法のステップの一部または全部が遂行されてよい。具体的な実装において、本開示の本実施形態におけるコンピュータ記憶媒体は、RAM、ROM、EEPROM、フラッシュメモリ、CD−ROM、DVD、または別の光学式メモリ、磁気テープ、磁気ディスク、または別の磁気式メモリ、あるいは必要情報を格納するよう構成され得て計算デバイスによってアクセスされ得る他の何らかの媒体を含む。
【０２５２】
図24は本開示の技術的解決手段による受信機のAGC性能と既存の技術的解決手段による受信機のAGC性能との比較の概略図である。図24で、L−STFは先行技術のWLAN規格でHT−STF部分かVHT−STF部分に使われるSTFシーケンスを表している。M1＿Opt1とM1＿Opt2は本開示で前述したシーケンス2とシーケンス3の周波数領域密度が増加された後に得られた2種類のシーケンスをそれぞれ表しており、M2は本開示でより大きい帯域幅で時間領域シーケンスを取り込むことによって20MHzの帯域幅で得られたSTF時間領域シーケンスを表している。
【０２５３】
図24で、水平座標は受信信号におけるデータ部分の電力に対するSTF部分の電力の比（dB）を表しており、垂直座標は比の累積分布関数（CDF）値を表している。3グループのCSD値が使われている。第1のグループでCSD＿acは先行技術のIEEE 802．11ac規格でプリアンブルシーケンスのVHT−STF部分とデータ部分に使われるCSDシーケンスを示している。
CSD＿ac：［0，−400，−200，−600，−350，−650，−100，−750］
【０２５４】
第2のグループと第3のグループでCSD＿Lは最大値が増加されたCSDシーケンスを示している。
CSD＿L1：［0，−500，−250，−700，−400，−800，−150，−900］
CSD＿L2：［0，−800，−400，−1000，−600，−1200，−200，−1400］
【０２５５】
CSDシーケンス（曲線1）がまったく使われない場合にSTF部分の電力とデータ部分の電力との間に甚だしい不一致があることが、図24の結果から分かるであろう。その結果、受信機はAGCを効果的に調整できなくなり、受信機の全体的性能が大幅に損なわれる。既存規格の解決手段（曲線2）によると、電力の一致度は大幅に改善され得る。ただし、本開示の技術的解決手段（曲線3〜曲線6）を用いることでCDF曲線がさらに改善されることが分かるであろう。特に、より大きい帯域幅で時間領域シーケンスを取り込むことによって得られたSTF時間領域シーケンスのCDF曲線（曲線5および曲線6）は大いに改善されている。本開示の実施形態で提供される技術的解決手段を用いることで、WLANシステムで受信機のAGC性能を効果的に改善できることが分かるであろう。
【０２５６】
当然ながら、当業者は本開示の精神と範囲から逸脱せずに本開示に様々な改良や変更を加えることができる。これらの改良や変更が以降の請求項ならびに同等の技術によって規定される保護範囲内にある限り、これらの改良や変更は本開示の範囲に含まれる。
【符号の説明】
【０２５７】
31  処理モジュール
32  生成モジュール
33  設定モジュール
41  取得モジュール
42  取り込みモジュール
43  生成モジュール
44  設定モジュール
101  入力装置
102  出力装置
103  通信リンク
104  送受信装置
105  メモリ
106  プロセッサ
111  入力装置
112  出力装置
113  通信リンク
114  送受信装置
115  メモリ
116  プロセッサ
160  生成モジュール
161  送信モジュール
170  受信モジュール
180  生成モジュール
181  送信モジュール
190  受信モジュール
2011  入力装置
2012  出力装置
2013  通信リンク
2014  送受信装置
2015  メモリ
2016  プロセッサ
2111  入力装置
2112  出力装置
2113  通信リンク
2114  送受信装置
2115  メモリ
2116  プロセッサ
2211  入力装置
2212  出力装置
2213  通信リンク
2214  送受信装置
2215  メモリ
2216  プロセッサ
2311  入力装置
2312  出力装置
2313  通信リンク
2314  送受信装置
2315  メモリ
2316  プロセッサ
【図１】
0006509333.tif 000002
【図２】
0006509333.tif 000003
【図３】
0006509333.tif 000004
【図４】
0006509333.tif 000005
【図５】
0006509333.tif 000006
【図６】
0006509333.tif 000007
【図７】
0006509333.tif 000008
【図８】
0006509333.tif 000009
【図９】
0006509333.tif 000010
【図１０】
0006509333.tif 000011
【図１１】
0006509333.tif 000012
【図１２】
0006509333.tif 000013
【図１３】
0006509333.tif 000014
【図１４】
0006509333.tif 000015
【図１５】
0006509333.tif 000016
【図１６】
0006509333.tif 000017
【図１７】
0006509333.tif 000018
【図１８】
0006509333.tif 000019
【図１９】
0006509333.tif 000020
【図２０】
0006509333.tif 000021
【図２１】
0006509333.tif 000022
【図２２】
0006509333.tif 000023
【図２３】
0006509333.tif 000024
【図２４】
0006509333.tif 000025